(57)【要約】【課題】視聴または記録するコンテンツの選択上の利便性を高くすることができる装置および方法ならびにプログラムを提供する。【解決手段】放送予定の番組の一覧を表示するにあたって、利用者の嗜好情報に基づいて抽出した番組に、おすすめマークＥ１付して表示することによって、残余の番組と区別する。このようにしておすすめ番組を区別して、全番組を表示するので、現時刻に放送されている番組およびその日に予定されている番組を踏まえたうえで、おすすめ番組を把握することができる。したがって視聴および録画する番組を選択するにあたって、たとえばおすすめ番組だけの一覧を表示する場合のように、放送予定を把握していれば視聴または録画した番組を視聴または録画せずに過ごしてしまう過誤を防ぐことができ、利便性を高くすることができる。【選択図】      図３
2004157617.tif 000002
【特許請求の範囲】
【請求項１】
経時的に変化するコンテンツを、予め設定される提供時間枠に区切られる提供予定に従って提供する提供元の前記提供予定を表す提供予定情報を取得する予定取得手段と、
利用者の嗜好を表す嗜好情報を取得する嗜好情報取得手段と、
提供予定情報および嗜好情報に基づいて、嗜好情報と一致するコンテンツを抽出し、残余のコンテンツと区別して、提供予定のコンテンツの一覧を表す表示データを生成するデータ生成手段とを含むことを特徴とする表示制御装置。
【請求項２】
データ生成手段は、抽出したコンテンツにマークを付すことによって残余のコンテンツと区別し、嗜好情報とコンテンツとの一致度に応じて、個数および形態のうち少なくともいずれか一方が異なるマークを付す表示データを生成することを特徴とする請求項１記載の表示制御装置。
【請求項３】
データ生成手段は、抽出したコンテンツにマークを付すことによって残余のコンテンツと区別し、嗜好情報とコンテンツとの一致の種類に応じて、形態の異なるマークを付す表示データを生成することを特徴とする請求項１記載の表示制御装置。
【請求項４】
データ生成手段は、前記提供予定に含まれる全てのコンテンツに対して、嗜好情報との一致度を表す評価値を求め、予め定める基準値以上の評価値を有するコンテンツを抽出し、抽出したコンテンツを評価値に基づいて階層化し、各階層毎に個数および形態のうち少なくともいずれか一方が異なるマークを付す表示データを生成することを特徴とする請求項２記載の表示制御装置。
【請求項５】
データ生成手段は、前記提供予定に含まれる全てのコンテンツに対して、嗜好情報との一致度を表す評価値を求め、予め定める基準値以上の評価値を有するコンテンツを抽出し、この抽出したコンテンツにマークを付す表示データを生成することを特徴とする請求項３記載の表示制御装置。
【請求項６】
データ生成手段は、抽出したコンテンツを階層化するにあたって、少なくとも嗜好情報との一致度が最も高い階層には、予め定める数のコンテンツを分類することを特徴とする請求項４記載の表示制御装置。
【請求項７】
請求項１〜６のいずれかに記載の表示制御装置と、
前記提供予定に従って提供元から提供されるコンテンツを取得するコンテンツ取得手段と、
取得したコンテンツを記録する記録手段と、
前記提供予定を表す提供予定情報に基づいて、データ生成手段によって抽出されたコンテンツを記録するように予約する記録制御手段とを含むことを特徴とする記録装置。
【請求項８】
経時的に変化するコンテンツを、予め設定される提供時間枠に区切られる提供予定に従って提供する提供元の前記提供予定を表す提供予定情報を取得する予定取得工程と、
利用者の嗜好を表す嗜好情報を取得する嗜好情報取得工程と、
提供予定情報および嗜好情報に基づいて、嗜好情報と一致するコンテンツを抽出する抽出工程と、
抽出したコンテンツを、残余のコンテンツと区別して、提供予定のコンテンツの一覧を表す表示データを生成する生成工程とを含むことを特徴とする表示制御方法。
【請求項９】
請求項８記載の表示制御方法の抽出工程で抽出されたコンテンツを、取得して記録するように予約する記録予約工程を含むことを特徴とする記録方法。
【請求項１０】
請求項８記載の表示制御方法を、コンピュータに実行させるためのプログラム。
【請求項１１】
請求項９記載の記録方法を、コンピュータに実行させるためのプログラム。
【発明の詳細な説明】
【０００１】
【発明の属する技術分野】
本発明は、たとえば動画像などの提供元から提供されるコンテンツのうち、おすすめのコンテンツを表示または記録する装置および方法ならびにプログラムに関する。
【０００２】
【従来の技術】
第１の従来技術として、過去に視聴した番組のキーワードを蓄積し、選局または録画予約時に、出現頻度の高いキーワードを含む番組情報から順に表示する方法がある（たとえば特許文献１参照）。
【０００３】
また第２の従来技術として、キーワードを用いて検出した番組を、キーワードに対する評価情報に基づいて配列させた番組表を作成して表示する装置がある（たとえば特許文献２参照）。
【０００４】
また第３の従来技術として、利用者の番組視聴の嗜好を判定しておすすめ度を判定し、利用者の嗜好にあった番組群を表すおすすめ番組を、時間軸とおすすめ度軸との２次元表示するシステムがある（たとえば特許文献３参照）。
【０００５】
また第４の従来技術として、キーワードを含む番組を放送時間に従って並べた番組表を表示するがある（たとえば特許文献４参照）。
【０００６】
【特許文献１】
特開平７−１３５６２１号公報
【特許文献２】
特開平１１−３０８５４７号公報
【特許文献３】
特開２０００−２５３３２５号公報
【特許文献４】
特開２００１−２７５０５３号公報
【０００７】
【発明が解決しようとする課題】
前述の第１〜第４の従来技術では、全番組から過去の視聴状況および登録されるキーワードと合う番組だけを、放送時間順またはおすすめ度順に一覧表示している。このような技術では、現時刻に放送されている番組を確認したり、その日に予定されている全番組を確認したりすることができず、視聴および録画する番組の選択には利用できない。たとえば過去の視聴状況および登録されるキーワードと一致しなくても、存在を把握していれば視聴したであろう番組を視聴せずに過ごしてしまうおそれがある。このように視聴または録画する番組の選択上の利便性が、極めて低い。
【０００８】
したがって本発明の目的は、視聴または記録するコンテンツの選択上の利便性を高くすることができるおすすめコンテンツの表示および記録装置、表示および記録方法ならびにプログラムを提供することである。
【０００９】
【課題を解決するための手段】
本発明は、経時的に変化するコンテンツを、予め設定される提供時間枠に区切られる提供予定に従って提供する提供元の前記提供予定を表す提供予定情報を取得する予定取得手段と、
利用者の嗜好を表す嗜好情報を取得する嗜好情報取得手段と、
提供予定情報および嗜好情報に基づいて、嗜好情報と一致するコンテンツを抽出し、残余のコンテンツと区別して、提供予定のコンテンツの一覧を表す表示データを生成するデータ生成手段とを含むことを特徴とする表示制御装置である。
【００１０】
本発明に従えば、予定取得手段によって、提供元からのコンテンツの提供予定情報が取得され、これに基づいてデータ生成手段で、提供予定のコンテンツの一覧を表す表示データが生成される。この表示データを表示手段に与えることによって、提供予定のコンテンツの一覧を表示することができる。この一覧を表示するにあたって、嗜好情報取得手段によって取得される利用者の嗜好情報に基づいて、嗜好情報と一致する利用者の嗜好にあったコンテンツ（以下「おすすめコンテンツ」という場合がある）が抽出され、残余のコンテンツと区別する一覧を表示することができる。このようにおすすめコンテンツだけの一覧ではなく、提供予定に含まれる全てのコンテンツの一覧が、おすすめコンテンツと残余のコンテンツとで区別されて表示される。これによって現時刻に提供元から提供されているコンテンツおよびその日に提供が予定されているコンテンツなど、残余のコンテンツに関する提供予定を踏まえたうえで、おすすめコンテンツの提供予定を容易に把握することができる。したがって視聴および記録するコンテンツを選択するにあたって、その利便性を高くすることができる。たとえばおすすめコンテンツの一覧だけを表示する場合のように、提供されることを把握していれば視聴または記録したコンテンツを視聴または記録せずに過ごしてしまう過誤を防ぐことができる。
【００１１】
また本発明は、データ生成手段は、抽出したコンテンツにマークを付すことによって残余のコンテンツと区別し、嗜好情報とコンテンツとの一致度に応じて、個数および形態のうち少なくともいずれか一方が異なるマークを付す表示データを生成することを特徴とする。
【００１２】
本発明に従えば、抽出したコンテンツにマークを付して一覧を表示することができる。このようにマークを付すことによって、おすすめコンテンツと残余のコンテンツとを、区別して表示することが実現される。さらにおすすめコンテンツに付されるマークは、嗜好情報とコンテンツとの一致度（以下「おすすめ度」という場合がある）に応じて、個数および形態のうち少なくともいずれか一方が異なる。これによってマークの付され方によって、おすすめコンテンツのおすすめ度を容易に把握することができる。
【００１３】
また本発明は、データ生成手段は、抽出したコンテンツにマークを付すことによって残余のコンテンツと区別し、嗜好情報とコンテンツとの一致の種類に応じて、形態の異なるマークを付す表示データを生成することを特徴とする。
【００１４】
本発明に従えば、抽出したコンテンツにマークを付して一覧を表示することができる。このようにマークを付すことによって、おすすめコンテンツと残余のコンテンツとを、区別して表示することが実現される。さらにおすすめコンテンツに付されるマークは、嗜好情報とコンテンツとの一致の種類（以下「おすすめ種別」という場合がある）に応じて異なる。これによってマークの形態によって、おすすめ種別を容易に把握することができる。
【００１５】
また本発明は、データ生成手段は、前記提供予定に含まれる全てのコンテンツに対して、嗜好情報との一致度を表す評価値を求め、予め定める基準値以上の評価値を有するコンテンツを抽出し、抽出したコンテンツを評価値に基づいて階層化し、各階層毎に個数および形態のうち少なくともいずれか一方が異なるマークを付す表示データを生成することを特徴とする。
【００１６】
本発明に従えば、データ生成手段によって、全てのコンテンツに対して、おすすめ度を表す評価値が求められ、基準値以上の評価値を有するコンテンツが抽出される。さらにデータ生成手段によって、抽出されたコンテンツが階層化され、各階層毎に個数および形態のうち少なくともいずれか一方が異なるマークが付された一覧が表示される。このように階層化してマークを付すことによって、おすすめ度に応じてマークを付すことができる。また評価値が基準値以上のコンテンツを階層化するので、利用者の嗜好に合わないコンテンツが、残余のコンテンツと区別されておすすめコンテンツとして表示されてしまうことが防がれる。
【００１７】
また本発明は、データ生成手段は、前記提供予定に含まれる全てのコンテンツに対して、嗜好情報との一致度を表す評価値を求め、予め定める基準値以上の評価値を有するコンテンツを抽出し、この抽出したコンテンツにマークを付す表示データを生成することを特徴とする。
【００１８】
本発明に従えば、データ生成手段によって、全てのコンテンツに対して、おすすめ度を表す評価値が求められ、基準値以上の評価値を有するコンテンツが抽出される。このように抽出されたコンテンツにおすすめ種別に応じたマークが付された一覧が表示される。このようにしておすすめコンテンツに、おすすめ種別に応じてマークを付すことができる。また評価値が基準値以上のコンテンツにマークを付すので、利用者の嗜好に合わないコンテンツが、残余のコンテンツと区別されておすすめコンテンツとして表示されてしまうことが防がれる。
【００１９】
また本発明は、データ生成手段は、抽出したコンテンツを階層化するにあたって、少なくとも嗜好情報との一致度が最も高い階層には、予め定める数のコンテンツを分類することを特徴とする。
【００２０】
本発明に従えば、抽出したコンテンツの階層化にあたって、抽出手段によって、少なくともおすすめ度が最も高い階層には、予め定める数のコンテンツが分類される。このようにしておすすめ度を相対評価して階層化することができるので、おすすめ度が高い、上位のおすすめコンテンツとして表示されるコンテンツの数が一定となる。評価値に基づいて絶対評価した場合には、１つの階層に分類されるコンテンツが多くなり過ぎたり、逆に少なくなり過ぎたりして、おすすめのコンテンツの把握が困難になるけれども、前述のように相対評価をすることによって、１つの階層に分類されるコンテンツの数を好適な数として、おすすめコンテンツの把握を容易にすることができる。
【００２１】
また本発明は、前記表示制御装置と、
前記提供予定に従って提供元から提供されるコンテンツを取得するコンテンツ取得手段と、
取得したコンテンツを記録する記録手段と、
前記提供予定を表す提供予定情報に基づいて、データ生成手段によって抽出されたコンテンツを記録するように予約する記録制御手段とを含むことを特徴とする記録装置である。
【００２２】
本発明に従えば、おすすめコンテンツが、いわば自動的に、取得手段によって取得され、記録手段によって記録される。これによっておすすめコンテンツを記録するための手間を省くことができ、高い利便性を有する。
【００２３】
また本発明は、経時的に変化するコンテンツを、予め設定される提供時間枠に区切られる提供予定に従って提供する提供元の前記提供予定を表す提供予定情報を取得する予定取得工程と、
利用者の嗜好を表す嗜好情報を取得する嗜好情報取得工程と、
提供予定情報および嗜好情報に基づいて、嗜好情報と一致するコンテンツを抽出する抽出工程と、
抽出したコンテンツを、残余のコンテンツと区別して、提供予定のコンテンツの一覧を表す表示データを生成する生成工程とを含むことを特徴とする表示制御方法である。
【００２４】
本発明に従えば、予定取得工程で、提供元からのコンテンツの提供予定情報を取得すとともに、嗜好情報取得工程で、嗜好情報を取得し、抽出工程で、提供予定情報および嗜好情報に基づいて、おすすめコンテンツを抽出する。そして生成工程で、おすすめコンテンツと残余のコンテンツとを区別して、提供予定のコンテンツの一覧を表す表示データを生成する。この表示データを表示装置に与えることによって、提供予定のコンテンツの一覧を表示することができる。このとき、おすすめコンテンツだけの一覧を表示するのではなく、提供予定の全てのコンテンツの一覧を、おすすめコンテンツと残余のコンテンツとに区別して表示することができる。これによって現時刻に提供元から提供されているコンテンツおよびその日に提供が予定されているコンテンツなど、残余のコンテンツに関する提供予定を踏まえたうえで、おすすめコンテンツの提供予定を容易に把握することができる。したがって視聴および記録するコンテンツを選択するにあたって、その利便性を高くすることができる。たとえばおすすめコンテンツの情報だけを表示する場合のように、提供されることを把握していれば視聴または記録したであろうコンテンツを視聴または記録せずに過ごしてしまう過誤を防ぐことができる。
【００２５】
また本発明は、前記表示制御方法の抽出工程で抽出されたコンテンツを、取得して記録するように予約する記録予約工程を含むことを特徴とする記録方法である。
【００２６】
本発明に従えば、おすすめコンテンツを、いわば自動的に、取得して記録することができる。これによっておすすめコンテンツを記録するための手間を省くことができ、高い利便性を有する。
【００２７】
また本発明は、前記表示制御方法を、コンピュータに実行させるためのプログラムである。
【００２８】
本発明に従えば、コンピュータを用いて、おすすめコンテンツを、残余のコンテンツから区別して、提供予定を表示することを実現することができる。
【００２９】
また本発明は、前記記録方法を、コンピュータに実行させるためのプログラムである。
【００３０】
本発明に従えば、コンピュータを用いて、おすすめコンテンツを、いわば自動的に記録することを実現することができる。
【００３１】
【発明の実施の形態】
図１は、本発明の実施の一形態の画像記録再生装置１の構成を示すブロック図である。画像記録再生装置１は、たとえば動画像および音声が含まれる動画像などの経時的に変化するコンテンツを、予め設定される提供時間枠に区切られる提供予定に従って提供する複数の放送局２０からのコンテンツを取得し、取得したコンテンツを、画像記録再生装置１に接続される表示装置２１に表示させる。また画像記録再生装置１は、取得したコンテンツを記録し、記録されたコンテンツを再生して表示装置２１に表示させる。画像記録再生装置１は、画像入出力部２、オンスクリーンディスプレイ生成部３、記録部４、プログラムメモリ５、データメモリ６、指示入力部７、計時部８、通信部９、メモリカード接続部１０および中央制御部１１を含んで構成される。
【００３２】
画像入出力部２は、アナログテレビチューナ２ａ、ＡＤコンバータ２ｂ、ＭＰＥＧ２エンコーダ２ｃ、ＭＰＥＧ２デコーダ２ｄおよびＤＡコンバータ２ｅを備える。画像入出力部２には、放送局２０からのアナログテレビジョン放送電波を受信するためのアンテナ２ｆが接続される。また画像入出力部２には、たとえばテレビジョン受像装置などで実現される表示装置２１および図示しないアナログ方式のビデオテープレコーダ（Ｖｉｄｅｏ  Ｔａｐｅ  Ｒｅｃｏｒｄｅｒ  ；略称：ＶＴＲ）などに接続可能なアナログ画像出力端子およびアナログ音声出力端子ならびにアナログ画像入力端子およびアナログ音声入力端子が備えられる。以後これらの入力端子および出力端子をまとめて、アナログ入出力端子と表記することがある。
【００３３】
各放送局２０からのコンテンツは、各放送局２０に割り振られたチャンネルに対応する搬送波周波数のアナログテレビジョン放送電波によって提供され、アナログテレビチューナ２ａは、選局される放送局２０からのアナログテレビジョン放送電波、換言すれば選択されるチャンネルに対応する搬送波周波数のアナログテレビジョン放送電波を、アンテナ２ｆを介して受信して増幅する。さらにアナログテレビチューナ２ａは、受信したアナログテレビジョン放送電波に含まれ、コンテンツを表すアナログコンテンツ信号を抽出する検波を行う。前記アナログテレビチューナ２ａによって検波されたアナログコンテンツ信号は、ＡＤコンバータ２ａおよびアナログ入出力端子に接続される表示装置２１およびＶＴＲに与えられてもよい。コンテンツは、アナログテレビチューナ２ａによって、アナログデータとして取得される。
【００３４】
ＡＤコンバータ２ｂは、アナログコンテンツ信号をデジタルコンテンツ信号に変換するアナログ・デジタル（Ａｎａｌｏｇ  ｔｏ  Ｄｉｇｉｔａｌ  ；略称：ＡＤ）変換を行う。前記アナログコンテンツ信号は、アナログテレビチューナ２ａおよびアナログ入出力端子に接続されるＶＴＲから与えられてもよい。前記デジタルコンテンツ信号は、ＭＰＥＧ２エンコーダ２ｃおよび中央制御部１１に与える。コンテンツは、このＡＤコンバータ２ｂでＡＤ変換されてデジタルデータ化される。
【００３５】
ＭＰＥＧ２エンコーダ２ｃは、ＭＰＥＧ２規格に基づいて、デジタルコンテンツ信号を符号化して、符号化コンテンツ信号を生成する。前記デジタルコンテンツ信号は、ＡＤコンバータ２ｂから与えられてもよい。前記符号化コンテンツ信号は、中央制御部１１を介して、記録部４、通信部９およびメモリカード接続部１０に与えられてもよい。コンテンツは、このＭＰＥＧ２エンコーダ２ｃで符号化される。
【００３６】
ＭＰＥＧ２デコーダ２ｄは、ＭＰＥＧ２規格で符号化される符号化コンテンツ信号を復号化して、デジタルコンテンツ信号を生成する。前記符号化コンテンツ信号は、記録部４、通信部９およびメモリカード接続部１０から与えられてもよい。前記デジタルコンテンツ信号は、ＤＡコンバータ２ｅに与えられてもよい。コンテンツは、このＭＰＥＧ２デコーダ２ｄで複合化され、デジタルデータ化される。
【００３７】
ＤＡコンバータ２ｅは、デジタルコンテンツ信号をアナログコンテンツ信号に変換するデジタル・アナログ（Ｄｉｇｉｔａｌ  ｔｏ  Ａｎａｌｏｇ  ；略称：ＤＡ）変換を行う。前記デジタルコンテンツ信号は、ＭＰＥＧ２デコーダ２ｄから与えられてもよい。前記アナログコンテンツ信号は、アナログ入出力端子に接続される表示装置２１およびＶＴＲに与えられてもよい。コンテンツは、このＤＡコンバータ２ａでＤＡ変換されてアナログデータ化される。
【００３８】
表示装置２１は、画像記録装置１からアナログコンテンツ信号によってコンテンツが与えられ、コンテンツである動画像を表示したり、音声を出力したりする。
【００３９】
画像入出力部２は、アンテナ２ｆを介して受信される、放送局２０からのデジタルテレビジョン放送電波に含まれ、コンテンツを表すデジタルコンテンツ信号を抽出する検波を行うデジタルテレビチューナを、さらに備えるようにしてもよい。この場合、デジタルコンテンツ信号は、ＭＰＥＧ２規格に基づいて符号化される符号化コンテンツ信号である。前記符号化コンテンツ信号は、ＭＰＥＧ２デコーダ２ｄに与えられたり、中央制御部１１を介して記録部４に与えられるようにしてもよい。このようにデジタルデータとしてコンテンツを取得するようにしてもよい。
【００４０】
また画像入出力部２は、たとえばデジタル方式でコンテンツを記録可能なハードディスクレコーダ（Ｈａｒｄ  Ｄｉｓｋ  Ｒｅｃｏｒｄｅｒ）、パーソナルビデオレコーダ（
Ｐｅｒｓｏｎａｌ  Ｖｉｄｅｏ  Ｒｅｃｏｒｄｅｒ  ；略称：ＰＶＲ）およびＤＶＤ（Ｄｉｇｉｔａｌ  Ｖｅｒｓａｔｉｌｅ  Ｄｉｓｋ）レコーダなどに接続可能なデジタル画像入出力端子およびデジタル音声入出力端子（以後これらの端子をまとめて「デジタル入出力端子」と表記することがある。）を備えるようにしてもよい。この場合、コンテンツは、デジタルコンテンツ信号によって、デジタル入出力端子に接続されるデジタル方式のビデオレコーダに与えられてもよい。
【００４１】
オンスクリーンディスプレイ（Ｏｎ−Ｓｃｒｅｅｎ  Ｄｉｓｐｌａｙ  ；略称：ＯＳＤ）生成部３は、中央制御部１１によって制御され、画像入出力部２から表示装置２１に出力されるアナログデータ形式のコンテンツに合成して、表示装置２１に表示させるための合成データを生成する。
【００４２】
記録部４は、たとえばハードディスクドライブ（Ｈａｒｄ  Ｄｉｓｋ  Ｄｒｉｖｅ  ；略称：ＨＤＤ）などの固定型の磁気記録媒体用いた手段およびデジタル多機能ディスク（Ｄｉｇｉｔａｌ  Ｖｅｒｓａｔｉｌｅ  Ｄｉｓｋ；略称：ＤＶＤ）などの着脱可能な光記録媒体を用いた手段によって実現される。記録部４は、画像データ記録部４ａおよびインデックスデータ記録部４ｂを有する。画像データ記録部４ａには、符号化されたコンテンツが記録される。前記符号化されたコンテンツは、画像入出力部２およびメモリカード接続部１０から与えられてもよい。インデックスデータ記録部４ｂには、前記符号化されたコンテンツの、記録部４における記録アドレス、記録日時、チャンネルおよび符号化ビットレートなどの記録情報、ならびにコンテンツのタイトルなどを含むインデックスが記録される。記録部４は、後述する中央制御部１１によって制御される。
【００４３】
指示入力部７は、キーボードおよびリモートコントローラ（略称：リモコン）２２からのリモコン信号を受信するリモコン受信部などで実現される。指示入力部７は、利用者の入力操作によって、各種入力指令が入力される。
【００４４】
プログラムメモリ５は、たとえばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ  ）およびフラッシュメモリ（ｆｌａｓｈ  ｍｅｍｏｒｙ）などの書換え可能な不揮発性メモリで実現される。プログラムメモリ５には、中央制御部１１が実行可能な、記録再生制御プログラム５ａ、画像変換プログラム５ｂ、ＥＰＧ取得プログラム５ｃ、記録予約制御プログラム５ｄ、キーワード予約制御プログラム５ｅ、おすすめ予約制御プログラム５ｆ、フォトアルバム制御プログラム５ｇ、嗜好データ抽出プログラム５ｈおよびＥＰＧ表示プログラム５ｉが記憶されている。各プログラム５ａ〜５ｉの詳細な説明は後述する。
【００４５】
データメモリ６は、たとえばランダムアクセスメモリ（Ｒａｎｄｏｍ  Ａｃｃｅｓｓ  Ｍｅｍｏｒｙ；略称：ＲＡＭ）などの揮発性メモリで実現される。データメモリ６は、記録再生予約データ記憶部６ａ、ＥＰＧデータ記憶部６ｂ、キーワードデータ記憶部６ｃおよび嗜好データ記憶部６ｄを有する。
【００４６】
記録再生予約データ記憶部６ａは、放送局２０からのコンテンツを記録部４に記録することを予約する記録予約に必要な予約情報を記憶する。キーワードデータ記憶部６ｃは、指示入力部７から入力された利用者に関する嗜好キーワードを記憶する。嗜好データ記憶部６ｄは、利用者の利用状況に基づく嗜好データを記憶する。
【００４７】
ＥＰＧデータ記憶部６ｂは、インターネット２５を介して接続されるＥＰＧサーバ２７に蓄積される電子番組案内（Ｅｌｅｃｔｒｏｎｉｃ  Ｐｒｏｇｒａｍ  Ｇｕｉｄｅ；略称：ＥＰＧ）を記憶する。放送局２０は、前記ＥＰＧで表され、予め設定される提供時間枠に区切られる提供予定に従って、アナログテレビジョン放送電波を送信することによって、コンテンツを提供する。ＥＰＧは、詳細に述べると、搬送波周波数に対応する各チャンネル毎に、各提供時間枠で提供されるコンテンツのタイトル、ジャンル、出演者名などのキーワードを含むインデックスを有する。ＥＰＧは、放送局２０からのデジタルコンテンツ信号に重畳して画像記録再生装置１に与えるようにしてもよい。この場合、画像入出力部２によって、デジタルコンテンツ信号からＥＰＧが抽出され、抽出されたＥＰＧは、ＥＰＧデータ記憶部６ｂに記憶される。また、ＥＰＧは、放送局２０からのアナログテレビジョン放送電波における映像信号の垂直帰線区間（Ｖｅｒｔｉｃａｌ  Ｂｌａｎｋｉｎｇ  Ｉｎｔｅｒｖａｌ  ；略称：ＶＢＩ）に重畳して画像記録再生装置１に与えるようにしてもよい。この場合、画像入出力部２によって、映像信号のＶＢＩからＥＰＧが抽出され、抽出されたＥＰＧは、ＥＰＧデータ記憶部６ｂに記憶される。
【００４８】
キーワードデータ記憶部６ｃは、指示入力部７から入力される嗜好キーワードを記憶する。嗜好データ記憶部６ｄは、嗜好データを記憶する。前記嗜好データは、利用者の利用状況に基づいて設定される。また嗜好データは、指示入力部７から入力されてもよい。嗜好データは、たとえば利用者の興味のあるジャンル、高頻度で記録されるコンテンツのタイトルなどである。
【００４９】
計時部８は、たとえばリアルタイムクロック（Ｒｅａｌ  Ｔｉｍｅ  Ｃｌｏｃｋ  ；略称：ＲＴＣ）で実現される。計時部８は、中央制御部１１、プログラムメモリ５およびデータメモリ６の動作の基準となるシステムクロック、ならびに現在時刻などを含むの計時情報を中央制御部１１に与える。
【００５０】
通信部９は、ローカルエリアネットワーク（Ｌｏｃａｌ  Ａｒｅａ  Ｎｅｔｗｏｒｋ；略称：ＬＡＮ）２３を介して第１パーソナルコンピュータ（以後「第１ＰＣ」と略して表記する。）２４に接続して通信可能である。また通信部９は、インターネット２５を介して、第２パーソナルコンピュータ（以後「第２ＰＣ」を略して表記する。）２６、ＥＰＧサーバ２７および携帯電話装置２８に接続して通信可能である。また通信部９は、ＬＡＮ２３を介して接続される第１ＰＣ２４が、インターネット２５を介して、第２ＰＣ２６、ＥＰＧサーバ２７および携帯電話装置２８に接続して通信できるようにするゲートウェイ機能およびルーティング機能を有する。第１および第２ＰＣ２４，２５は、それぞれ１つであってもよいし、複数であってもよい。
【００５１】
また通信部９は、インターネット２５を介して接続されるパーソナルコンピュータなどの通信端末装置から、不正なデータが入って来ないようにするファイアウォール機能を有するようにしてもよい。またＬＡＮ２３は、有線であっても無線であってもよい。
【００５２】
メモリカード接続部１０は、たとえばフラッシュメモリなどの書換え可能な不揮発性メモリを備えるメモリカードを着脱自在にして接続可能である。メモリカード接続部１０にメモリカードを装着することによって接続され、中央制御部１１による制御によって、メモリカードに記憶されている情報を読出したり、メモリカードに情報を記憶させたりする。メモリカードには、たとえばデジタルスチルカメラによって撮影された静止画像を表すフォトデータが記憶されてもよい。
【００５３】
中央制御部１１は、たとえば中央演算処理装置（Ｃｅｎｔｒａｌ  Ｐｒｏｃｅｓｓｉｎｇ  Ｕｎｉｔ  ；略称：ＣＰＵ）で実現され、計時部８からの計時情報に基づいて駆動し、プログラムメモリ５に記憶されている各プログラム５ａ〜５ｉを実行して、各種処理を行う。
【００５４】
中央制御部１１は、記録再生制御プログラム５ａを実行することによって、指示入力部７からの入力指令およびデータメモリ６の記録再生予約データ記憶部６ａに記憶される予約情報に従って、予約されるコンテンツを取得して画像データ記録部４ａに記録するように、画像入出力部２および記録部４を制御する。またこのとき、中央制御部１１は、画像データ記録部４ａに記録されるコンテンツに関連するインデックスを、インデックスデータ記録部４ｂに記録するように、記録部４を制御する。また中央制御部１１は、記録再生制御プログラム５ａを実行することによって、指示入力部７からの、画像データ記録部４ａに記録されているコンテンツを再生することを示す入力指令に従って、画像データ記録部４ａに記録されているコンテンツを表示装置２１に表示および出力させるように、画像入出力部２および記録部４を制御する。このとき記録部４に記録されているコンテンツは、ＭＰＥＧ２デコーダ２ｄに与えられて復号化され、さらにＤＡコンバータ２ｅに与えられてＤＡ変換されて、アナログ入出力端子から表示装置２１に与えられる。
【００５５】
画像入出力部２がデジタル入出力端子を備えている場合、中央制御部１１は、記録再生制御プログラム５ａを実行することによって、記録部４に記録されているコンテンツを、ＤＡコンバータ２ｅを介さずに、デジタル入出力端子に接続されているデジタル方式のビデオレコーダなどに与えるようにしてもよい。
【００５６】
中央制御部１１は、画像変換プログラム５ｂを実行することによって、記録部４に記録されているコンテンツに対して、たとえば符号化ビットレートを変更したり、符号化方式をＭＰＥＧ２からＭＰＥＧ４に変換したりする画像変換処理を行う。さらに中央制御部１１は、記録再生制御プログラム５ａを実行することによって、前述のような画像変換処理が施されたコンテンツを記録するように記録部４を制御したり、ＬＡＮ２３を介して接続される第１ＰＣ２４およびインターネット２５を介して接続される第２ＰＣ２６に与えるように通信部９を制御してもよい。
【００５７】
中央制御部１１は、ＥＰＧ取得プログラム５ｃを実行することによって、インターネット２５を介して接続されるＥＰＧサーバ２７に蓄積されるＥＰＧを取得するように通信部９を制御するとともに、取得したＥＰＧをデータメモリ６のＥＰＧデータ記憶部６ｂに記憶する。またＥＰＧが放送局２０からのデジタルコンテンツ信号に重畳して画像記録再生装置１に与えられる場合、中央制御部１１は、ＥＰＧ取得プログラム５ｃを実行することによって、デジタルコンテンツ信号からＥＰＧを抽出するように画像入出力部２を制御するとともに、抽出されたＥＰＧをＥＰＧデータ記憶部６ｂに記憶する。
【００５８】
中央制御部１１は、ＥＰＧ表示プログラム５ｉを実行することによって、ＥＰＧデータ記憶部６ｂに記憶されているＥＰＧを、利用者が容易に理解できるような一覧表形式に加工して、画像入出力部２から表示装置２１に与えられるコンテンツに重畳するようにＯＳＤ生成部３を制御する。これによって表示装置２１には、ＥＰＧの一覧表が重畳されるコンテンツが表示される。
【００５９】
利用者がリモコン２２および指示入力部７を入力操作して入力指令が入力されると、中央制御部１１は、記録予約制御プログラム５ｄを実行して、表示装置２１に表示されている一覧表上にカーソルを形成し、入力指令に応じてカーソルを移動させるようにＯＳＤ生成部３を制御する。利用者の入力操作によって所望のコンテンツが指定されると、中央制御部１１は、記録予約制御プログラム５ｄを実行して、ＥＰＧデータ記憶部６ｂに記憶されているＥＰＧに基づいて、指定されたコンテンツの記録開始日時、記録終了日時およびチャンネルなどを含む予約情報を、記録再生予約データ記憶部６ａに記憶する。
【００６０】
利用者がリモコン２２および指示入力部７を入力操作して、コンテンツの記録開始日時、記録終了日時、チャンネル、記録予定画質および記録または視聴の区別などを含む予約情報が入力されると、中央制御部１１は、記録予約制御プログラム５ｄを実行して、前記予約情報を記録再生予約データ記憶部６ａに記憶する。利用者が第１ＰＣ２４、第２ＰＣ２６および携帯電話装置２８を操作して、予約情報を入力して、前記記録予約がＬＡＮ２３およびインターネット２５を介して通信部９に与えられると、中央制御部１１は、記録予約制御プログラム５ｄを実行して、前記記録予約を記録再生予約データ記憶部６ａに記憶する。このようにして手動予約が行われる。
【００６１】
中央制御部１１は、キーワード予約制御プログラム５ｅを実行することによって、データメモリ６のキーワードデータ記憶部６ｃに記憶されている嗜好キーワードに基づいて、ＥＰＧデータ記憶部６ｂに記憶されているＥＰＧを検索して、前記嗜好キーワードを含むインデックスに対応するコンテンツを抽出し、前記コンテンツの提供時間枠およびチャンネルなどを含む予約情報を、記録再生予約データ記憶部６ａに記憶する。このようにしてキーワード予約が行われる。このとき記録開始日時は、提供時間枠におけるコンテンツの提供開始日時であり、記録終了日時は、提供時間枠におけるコンテンツの提供終了日時である。
【００６２】
中央制御部１１は、おすすめ予約制御プログラム５ｆを実行することによって、データメモリ６の嗜好データ記憶部６ｄに記憶されている嗜好データに基づいて、ＥＰＧデータ記憶部６ｂを検索して、前記嗜好データを含むインデックスに対応するコンテンツを抽出し、前記コンテンツの提供時間枠およびチャンネルなどを含む予約情報を記録再生予約データ記憶部６ａに記憶する。このようにして、おすすめ予約が行われる。このとき記録開始日時は、コンテンツの提供時間枠におけるコンテンツの提供開始日時であり、記録終了日時は、提供時間枠におけるコンテンツの提供終了日時である。
【００６３】
中央制御部１１は、フォトアルバム制御プログラム５ｇを実行することによって、メモリカード接続部１０によって読取られたメモリカードに記憶されているフォトデータを記録部４に記録する。また中央制御部１１は、フォトアルバム制御プログラム５ｇを実行することによって、表示装置２１、第１ＰＣ２４、第２ＰＣ２６および携帯電話装置２８に、記録部４に記録されているフォトデータを一覧表形式で表示できるようなフォトアルバムデータを生成する。このように生成されたフォトアルバムデータは、ＬＡＮ２３を介して接続される第１ＰＣ２４、ならびにインターネット２５を介して接続される第２ＰＣ２６および携帯電話装置２８に与えることができる。
【００６４】
中央制御部１１は、嗜好データ抽出プログラム５ｈを実行することによって、利用者の利用状況に基づいて嗜好データを生成して、データメモリ６の嗜好データ記憶部６ｄに記憶する。この嗜好データは、おすすめ予約が行われるときに用いられる。
【００６５】
図２は、表示装置２１に表示されるアプリメニューＭ１を示す図である。表示装置２１の表示画面において、前記表示画面に平行な予め定める第１方向を上方向、前記第１方向とは反対向きの方向を下方向、前記表示画面に平行であって前記第１方向に垂直な第２方向を右方向、前記第２方向とは反対向きの方向を左方向とする。
【００６６】
利用者がリモコン２２に設けられるメニューボタンを押圧すると、アプリメニューＭ１の表示を示す入力指令が指示入力部７に与えられる。中央制御部１１は、前記入力指令に基づいて、アプリメニューＭ１を表す表示データを生成して、前記表示データを画像入出力部２を介して、表示装置２１に与える。これによって図２に示すようなアプリメニューＭ１が表示装置２１に表示される。
【００６７】
アプリメニューＭ１は、ステータス表示領域Ａ１、項目表示領域Ａ２、項目説明表示領域Ａ３、コンテンツ表示領域Ａ４および操作説明表示領域Ａ５を有する。ステータス表示領域Ａ１は、表示画面において上端部に配置される。ステータス表示領域Ａ１には、メニュータイトル、記録モード、記録可能時間および現在日時などのステータス情報が表示される。項目表示領域Ａ２は、表示画面において中央部右寄りに配置される。項目表示領域Ａ２には、テレビＨ１、番組表Ｈ２、番組ナビＨ３、ビデオＨ４、予約Ｈ５、インターネットＨ６、フォトアルバムＨ７および設定Ｈ８を含むメニュー項目がマトリクス状に配置されて表示される。
【００６８】
項目説明表示領域Ａ３は、表示画面において左端部上寄りに配置される。項目説明表示領域Ａ３には、カーソルＣが重ねられて選択されているメニュー項目に関連する説明が表示される。コンテンツ表示領域Ａ４は、表示画面において左端部下寄りに配置される。コンテンツ表示領域Ａ４には、現在選択されているチャンネルに対応する放送局２０から提供されているコンテンツが表示される。操作説明表示領域Ａ５は、表示画面において下端部に配置される。操作説明表示領域Ａ５には、リモコン２２に設けられるボタンに対応する操作説明が表示される。
【００６９】
表示装置２１に図２に示すアプリメニューＭ１が表示されているとき、利用者は、リモコン２２に設けられるカーソルボタンを操作することによって、表示されているカーソルＣを上下左右に移動することができる。利用者は、リモコン２２を操作して、項目表示領域Ａ２に表示されている項目にカーソルＣを移動して所望とするメニュー項目のいずれか１つに重ねることで、前記メニュー項目を選択する。さらにこの状態で、利用者は、リモコン２２に設けられる決定ボタンを押圧することによって、選択したメニュー項目を決定して、選択されたメニュー項目に関連付けされる後述する各種メニューなどを、表示装置２１に表示することができる。
【００７０】
以後、リモコン２２のカーソルボタンを操作して、表示画面に表示されている項目などにカーソルＣを重ねることを、単に「選択する」と表記することがある。また項目などが選択されている状態で、リモコン２２の決定ボタンを押圧することを、単に「決定する」と表記することがある。
【００７１】
表示装置２１に図２に示すアプリメニューＭ１が表示されているとき、利用者が、テレビＨ１を選択して決定すると、中央制御部１１は、現在、画像入出力部２によって選択されているチャンネルに対応する放送局２０から提供されているコンテンツを表示装置２１の表示画面全体に表示するように画像入出力部２を制御する。これによって表示装置２１の表示画面全体に、前記コンテンツが表示される。
【００７２】
表示装置２１に図２に示すアプリメニューＭ１が表示されているとき、利用者が、インターネットＨ６を選択して決定すると、中央制御部１１は、インターネット２５を介して接続されるコンテンツサーバが蓄積しているウェブコンテンツを取得するように通信部９を制御する。また中央制御部１１は、取得したウェブコンテンツを表示装置２１に表示するように画像入出力部２を制御する。これによって表示装置２１に前記ウェブコンテンツが表示される。
【００７３】
表示装置２１に図２に示すアプリメニューＭ１が表示されているとき、利用者が、フォトアルバムＨ７を選択して決定すると、中央制御部１１は、プログラムメモリ５に記憶されているフォトアルバム制御プログラム５ｇを実行して、記録部４およびメモリカード接続部１０に装着されているメモリカードが記録および記憶しているフォトデータを、表示装置２１、第１ＰＣ２４、第２ＰＣ２６および携帯電話装置２８に表示するためのフォトアルバムデータを生成する。これによって表示装置２１ならびに第１ＰＣ２４、第２ＰＣ２６および携帯電話装置２８の表示部（図示せず）にフォトアルバムデータを表示することができる。
【００７４】
表示装置２１に図２に示すアプリメニューＭ１が表示されているとき、利用者が、設定Ｈ８を選択して決定すると、中央制御部１１は、各種設定メニューを表示装置２１に表示するように画像入出力部２を制御する。これによって表示装置２１に前記設定メニューが表示される。
【００７５】
図３は、表示装置２１に表示されるチャンネル別番組表Ｍ２を示す図である。表示装置２１に図２に示すアプリメニューＭ１が表示されているとき、利用者が番組表Ｈ２を選択して決定すると、中央制御部１１は、ＥＰＧ表示プログラム５ｉを実行して、チャンネル別番組表Ｍ２を表示装置２１に表示するように画像入出力部２を制御する。これによって図３に示すようなチャンネル別番組表Ｍ２が表示装置２１に表示される。
【００７６】
チャンネル別番組表Ｍ２は、ステータス表示領域Ａ１、項目説明表示領域Ａ３、コンテンツ表示領域Ａ４、操作説明表示領域Ａ５および番組表表示領域Ａ６を有する。ステータス表示領域Ａ１、項目説明表示領域Ａ３、コンテンツ表示領域Ａ４および操作説明表示領域Ａ５は、前述の図２に示すアプリメニューＭ１と同様であるので、同一の参照符号を付して詳細な説明は省略する。番組表表示領域Ａ６は、表示画面において中央部右寄りに配置される。番組表表示領域Ａ６には、現在選択されているチャンネルの名称が表示される。また番組表表示領域Ａ６には、前記チャンネルで提供されるコンテンツの提供時間枠およびタイトルが上下方向に時系列順に並ぶ一覧表形式の番組表が表示される。また番組表表示領域Ａ６において、所定の方法で設定されるおすすめ度の高いコンテンツには、おすすめマークＥ１が付加されて表示される。
【００７７】
表示装置２１に図３に示すチャンネル別番組表Ｍ２が表示されているとき、利用者は、リモコン２２のカーソルボタンを操作することによって、表示されているカーソルＣを上下に移動することができる。利用者は、リモコン２２を操作して、番組表表示領域Ａ６に表示されているコンテンツのタイトルを選択すると、項目説明表示領域Ａ３には、選択されたコンテンツに対応するインデックスが表示される。利用者がリモコン２２のカーソルボタンを操作することによって、番組表表示領域Ａ６に他のチャンネルで提供されるコンテンツの番組表を表示することができる。また利用者がリモコン２２のカーソルボタンを操作することによって、他の提供時間枠に提供されるコンテンツの番組表を表示することができる。
【００７８】
図４は、表示装置２１に表示される番組ナビＭ３を示す図である。表示装置２１に図２に示すアプリメニューＭ１が表示されているとき、利用者が番組ナビＨ３を選択して決定すると、中央制御部１１は、ＥＰＧ表示プログラム５ｉを実行して、番組ナビＭ３を表示装置２１に表示するように画像入出力部２を制御する。これによって図４に示すような番組ナビＭ３が表示装置２１に表示される。
【００７９】
番組ナビＭ３は、ステータス表示領域Ａ１、項目説明表示領域Ａ３、コンテンツ表示領域Ａ４、操作説明表示領域Ａ５およびおすすめ番組表表示領域Ａ７を有する。ステータス表示領域Ａ１、項目説明表示領域Ａ３、コンテンツ表示領域Ａ４および操作説明表示領域Ａ５は、前述の図３に示すチャンネル別番組表Ｍ２と同様であるので、同一の参照符号を付して詳細な説明は省略する。おすすめ番組表表示領域Ａ７は、表示画面において中央部右寄りに配置される。おすすめ番組表表示領域Ａ７には、予め設定されるおすすめコンテンツの提供時間枠およびタイトルが上下方向に時系列順に並ぶ一覧表形式の番組表が表示される。またおすすめ番組表表示領域Ａ７において、コンテンツには、おすすめ度に応じて、おすすめマークＥ１が付加されて表示される。前記おすすめコンテンツは、中央制御部１１によって、データメモリ６の嗜好データ記憶部６ｄに記憶されている嗜好データに基づいて、ＥＰＧデータ記憶部６ｂに記憶されているＥＰＧから抽出された、前記嗜好データを含むインデックスに対応するコンテンツである。
【００８０】
表示装置２１に図４に示す番組ナビＭ３が表示されているとき、利用者は、リモコン２２のカーソルボタンを操作することによって、表示されているカーソルＣを上下に移動することができる。利用者は、リモコン２２を操作して、おすすめ番組表表示領域Ａ７に表示されているおすすめコンテンツのタイトルを選択すると、項目説明表示領域Ａ３には、選択されたおすすめコンテンツに対応するインデックスが表示される。
【００８１】
図５は、表示装置２１に表示される記録一覧表Ｍ４を示す図である。表示装置２１に図２に示すアプリメニューＭ１が表示されているとき、利用者がビデオＨ４を選択して決定すると、中央制御部１１は、記録再生制御プログラム５ａを実行して、記録部４のインデックスデータ記録部４ｂに記憶されている情報を参照して記録一覧表Ｍ４を表示装置２１に表示するように画像入出力部２を制御する。これによって図５に示すような記録一覧表Ｍ４が表示装置２１に表示される。
【００８２】
記録一覧表Ｍ４は、ステータス表示領域Ａ１、コンテンツ表示領域Ａ４、操作説明表示領域Ａ５、記録一覧表示領域Ａ８および項目説明表示領域Ａ９を有する。ステータス表示領域Ａ１、項目説明表示領域Ａ９、コンテンツ表示領域Ａ４および操作説明表示領域Ａ５は、前述の図３に示すチャンネル別番組表Ｍ２と同様であるので、同一の参照符号を付して詳細な説明は省略する。記録一覧表示領域Ａ８は、表示画面において中央部に配置される。記録一覧表示領域Ａ８には、記録部４に記録されているコンテンツの提供時間枠およびタイトルが上下方向に時系列順に並ぶ一覧表形式の記録一覧表が表示される。また記録一覧表示領域Ａ８において、現在記録中のコンテンツには、現在記録中であることを表す記録中マークＥ２が付加されて表示される。また記録一覧表示領域Ａ８において、削除禁止設定されているコンテンツには、記録部４からの削除を禁止されていることを表す削除禁止マークＥ３が付加されて表示される。また記録一覧表示領域Ａ８において、記録部４に記録されてから利用者がまだ一度も再生していないコンテンツには、未再生を表すＮＥＷマークＥ７が付加されて表示される。また記録一覧表示領域Ａ８において、上書き設定されているコンテンツには、記録部４に記録されている同一タイトルのコンテンツに上書きして記録することを表す上書きマークＥ４が付加されて表示される。
【００８３】
表示装置２１に図５に示す記録一覧表Ｍ４が表示されているとき、利用者は、リモコン２２のカーソルボタンを操作することによって、表示されているカーソルＣを上下に移動することができる。利用者は、リモコン２２を操作して、記録一覧表示領域Ａ８に表示されているコンテンツのタイトルを選択して決定すると、決定されたコンテンツが再生されて、表示装置２１に前記コンテンツが表示される。一度でも再生されたコンテンツに対しては、前記ＮＥＷマークＥ７が取り除かれる。
【００８４】
図６は、表示装置２１に表示される予約方法選択メニューＭ５を示す図である。表示装置２１に図２に示すアプリメニューＭ１が表示されているとき、利用者が番組ナビＨ３を選択して決定すると、中央制御部１１は、記録予約制御プログラム５ｄを実行して、予約方法選択メニューＭ５を表示装置２１に表示するように画像入出力部２を制御する。これによって図６に示すような予約方法選択メニューＭ５が表示装置２１に表示される。
【００８５】
予約方法選択メニューＭ５は、ステータス表示領域Ａ１、操作説明表示領域Ａ５および選択肢表示領域Ａ１０を含んで構成される。ステータス表示領域Ａ１および操作説明表示領域Ａ５は、前述の図３に示すチャンネル別番組表Ｍ２と同様であるので、同一の参照符号を付して詳細な説明は省略する。選択肢表示領域Ａ１０は、表示画面において中央部に配置される。選択肢表示領域Ａ１０には、コンテンツの録画を予約する方法である番組表から予約Ｙ１、番組ナビから予約Ｙ２、マニュアル予約Ｙ３およびキーワード予約Ｙ４ならびに予約した内容を確認するための予約確認Ｙ５の選択肢が表示される。
【００８６】
表示装置２１の表示画面に図６に示す予約方法選択メニューＭ５が表示されているとき、利用者は、リモコン２２のカーソルボタンを操作することによって、表示されているカーソルＣを上下に移動させることができる。利用者は、リモコン２２を操作して、選択肢表示領域Ａ１０に表示されている各選択肢Ｙ１〜Ｙ５のいずれか１つを選択して決定することができる。このように選択肢が決定されると、決定された選択肢に対応するメニューが表示される。
【００８７】
図７は、記録予約における概略的な手順および表示されるメニューを示す図である。表示装置２１に、図６に示す予約方法選択メニューＭ５が表示されているとき、利用者が、番組表から予約Ｙ１を選択して決定すると、中央制御部１１は、記録予約制御プログラム５ｄを実行して、チャンネル別番組表Ｍ３を表示装置２１に表示するように画像入出力部２を制御する。これによって図３に示すチャンネル別番組表Ｍ３が表示装置２１に表示される。チャンネル別番組表Ｍ３が表示されているとき、利用者が記録予約したいコンテンツを選択して決定すると、決定したコンテンツの記録予約が登録される。表示装置２１に図６に示す予約方法選択メニューＭ５が表示されているとき、利用者が、番組ナビから予約Ｙ２を選択して決定すると、図４に示す番組ナビＭ３が表示される。番組ナビＭ３が表示されている状態で、利用者が記録予約したいコンテンツを選択して決定すると、決定したコンテンツの記録予約が登録される。
【００８８】
図８は、表示装置２１に表示される手動予約登録メニューＭ６を示す図である。表示装置２１に図６に示す予約方法選択メニューＭ５が表示されているとき、利用者が、マニュアル予約Ｙ３を選択して決定すると、中央制御部１１は、記録予約制御プログラム５ｄを実行して、手動予約登録メニューＭ６を表示装置２１に表示するように画像入出力部２を制御する。これによって図８に示す手動予約登録メニューＭ６が表示装置２１に表示される。手動予約登録メニューＭ６は、ステータス表示領域Ａ１、操作説明表示領域Ａ５および入力フォーム表示領域Ａ１１を有する。ステータス表示領域Ａ１および操作説明表示領域Ａ５は、前述の図３に示すチャンネル別番組表Ｍ２と同様であるので、同一の参照符号を付して詳細な説明は省略する。入力フォーム表示領域Ａ１１は、表示画面において中央部に配置される。入力フォーム表示領域Ａ１１には、コンテンツのタイトルである番組名と、コンテンツの記録を開始する記録開始日時と、コンテンツの記録を終了する記録終了日時と、コンテンツが提供されるチャンネルを選択する選局と、記録の種類と、記録の画質と、符号化方式の変換とを個々に入力するための入力ボックスが表示される。また入力フォーム表示領域Ａ１１には、「登録」ボタンＢ１および「戻る」ボタンＢ２が表示される。
【００８９】
表示装置２１に図８に示す手動予約登録メニューＭ６が表示されているとき、利用者は、リモコン２２のカーソルボタンを操作することによって、表示されているカーソルＣを上下左右に移動することができる。利用者は、リモコン２２を操作して、入力フォーム表示領域Ａ１１に表示されている入力ボックスを順番に選択しながら、選択した入力ボックスにコンテンツのタイトル、記録開始日時、記録終了日時、コンテンツが提供されるチャンネル、記録の種類、記録の画質、および符号化方式の変換を入力していく。全ての入力ボックスへの入力が完了し、入力した内容に基づいて予約録画を登録する場合には、利用者は、リモコン２２を操作して、入力フォーム表示領域Ａ１１に表示されている「登録」ボタンＢ１を選択して決定する。これによって入力されたコンテンツが予約録画の登録がなされて、入力された内容が予約情報として、データメモリ６の記録再生予約データ記録部６ａに記憶される。
【００９０】
利用者が、リモコン２２を操作して、入力フォーム表示領域Ａ１１に表示されている「戻る」ボタンＢ２を選択して決定すると、表示装置２１に予約方法選択メニューＭ５が表示される。
【００９１】
図９は、表示装置２１に表示されるキーワード一覧表Ｍ７を示す図である。表示装置２１に図６に示す予約方法選択メニューＭ５が表示されているとき、利用者が、キーワード予約Ｙ４を選択して決定すると、中央制御部１１は、キーワード予約制御プログラム５ｅを実行して、キーワード一覧表Ｍ７を表示装置２１に表示するように画像入出力部２を制御する。これによって図９に示すキーワード一覧表Ｍ７が表示装置２１に表示される。キーワード一覧表Ｍ７は、ステータス表示領域Ａ１、操作説明表示領域Ａ５およびキーワード一覧表示領域Ａ１２を有する。ステータス表示領域Ａ１および操作説明表示領域Ａ５は、前述の図３に示すチャンネル別番組表Ｍ２と同様であるので、同一の参照符号を付して詳細な説明は省略する。
【００９２】
キーワード一覧表示領域Ａ１２は、表示画面において中央部に配置される。キーワード一覧表示領域Ａ１２には、予め設定されデータメモリ６のキーワードデータ記憶部６ｃに記憶されている嗜好キーワードが、前記嗜好キーワードに対応するジャンルと、前記嗜好キーワードを含むインデックスに対応するコンテンツの記録予約の設定状態と、現在データメモリ６のＥＰＧデータ記憶部６ｂに記憶されているＥＰＧにおける前記嗜好キーワードを含むインデックスに対応するコンテンツの個数とともに、一覧表形式で表示される。
【００９３】
表示装置２１の表示画面に図９に示すキーワード一覧表Ｍ７が表示されているとき、利用者は、リモコン２２のカーソルボタンを操作することによって、表示されているカーソルＣを上下に移動させることができる。
【００９４】
図１０は、表示装置２１に表示されるキーワード編集メニューＭ８を示す図である。表示装置２１に図９に示すキーワード一覧表Ｍ７が表示されているとき、利用者が、リモコン２２を操作して、所望のキーワードを選択して決定すると、中央制御部１１は、キーワード予約制御プログラム５ｅを実行して、キーワード編集メニューＭ８を表示装置２１に表示するように画像入出力部２を制御する。これによって図１０に示すようなキーワード編集メニューＭ８が表示装置２１に表示される。キーワード編集メニューＭ８は、ステータス表示領域Ａ１、操作説明表示領域Ａ５およびキーワード編集領域Ａ１３を有する。ステータス表示領域Ａ１および操作説明表示領域Ａ５は、前述の図３に示すチャンネル別番組表Ｍ２と同様であるので、同一の参照符号を付して詳細な説明は省略する。
【００９５】
キーワード編集領域Ａ１３は、表示画面において中央部に配置される。キーワード編集領域Ａ１３には、登録および編集するキーワード、前記キーワードに対応するジャンルおよび前記キーワードに対してどのような処理をするかを示すアクションを入力するための入力ボックスが表示される。またキーワード編集領域Ａ１３には、「消去」ボタンＢ３、「登録」ボタンＢ４および「戻る」ボタンＢ５が表示される。
【００９６】
表示装置２１に図１０に示すキーワード編集メニューＭ８が表示されているとき、利用者は、リモコン２２のカーソルボタンを操作することによって、表示されているカーソルＣを上下左右に移動させることができる。利用者は、リモコン２２を操作して、キーワード編集領域Ａ１３に表示されている入力ボックスを順番に選択しながら、選択した入力ボックスに嗜好キーワード、前記嗜好キーワードに対応するジャンル、および前記嗜好キーワードを含むインデックスに対応するコンテンツに対する処理を入力していく。全ての入力ボックスへの入力が完了し、入力した内容に基づいて嗜好キーワードを登録する場合、利用者は、リモコン２２を操作して、キーワード編集領域Ａ１３に表示されている「登録」ボタンＢ４を選択して決定する。これによって嗜好キーワードが登録されて、データメモリ６のキーワードデータ記憶部６ｃに記憶される。
【００９７】
利用者がリモコン２２を操作して、前記入力ボックスを選択して決定すると、前記入力ボックスに、たとえば「｜」のような文字入力用カーソルが表示される。このとき、表示装置２１の表示画面の下部に、文字入力のために一時的に文字を表示するための文字入力領域が表示される。利用者は、リモコン２２に設けられる数字ボタンなどを押圧することによって、前記ボタンに予め割り当てられている文字を入力したり、漢字変換したりすることができる。所望の文字が文字入力領域に表示され、利用者がリモコン２２の決定ボタンを押圧すると、文字入力領域に表示されていた文字が、前記入力ボックスに表示される。入力ボックスへの文字入力が終了すると、利用者がリモコン２２の決定ボタンを押圧することで、カーソルＣの移動が可能になる。
【００９８】
また登録されている嗜好キーワードを消去する場合、利用者は、リモコン２２を操作して、消去したい嗜好キーワードを入力ボックスに入力して、キーワード編集領域Ａ１３に表示されている「消去」ボタンＢ３を選択して決定する。これによって入力ボックスに入力した嗜好キーワードが、データメモリ６のキーワードデータ記憶部６ｃから消去される。利用者は、リモコン２２を操作して、キーワード編集領域Ａ１３に表示されている「戻る」ボタンＢ５を選択して決定すると、表示装置２１にキーワード一覧表Ｍ７が表示される。
【００９９】
図１１は、表示装置２１に表示される予約確認メニューＭ９を示す図である。表示装置２１に図６に示す予約方法選択メニューＭ５が表示されているとき、利用者が、予約確認Ｙ５を選択して決定すると、中央制御部１１は、記録予約制御プログラム５ｄを実行して、予約確認メニューＭ９を表示装置２１に表示するように画像入出力部２を制御する。これによって図１１に示す予約確認メニューＭ９が表示装置２１に表示される。予約確認メニューＭ９は、ステータス表示領域Ａ１、操作説明表示領域Ａ５、予約一覧表示領域Ａ１４および予約情報表示領域Ａ１５を有する。ステータス表示領域Ａ１および操作説明表示領域Ａ５は、前述の図３に示すチャンネル別番組表Ｍ２と同様であるので、同一の参照符号を付して詳細な説明は省略する。
【０１００】
予約一覧表示領域Ａ１４は、表示画面において中央部上寄りに配置される。予約一覧表示領域Ａ１４には、データメモリ６の記録再生予約データ記憶部６ａに記憶されている予約情報に含まれる、記録予約されているコンテンツのタイトルおよび記録開始日時が、記録開始日時順に並んで、一覧表形式で表示される。また予約一覧表示領域Ａ１４において、現在記録中のコンテンツには、現在記録中であることを表す記録中マークＥ２が付加されて表示される。また予約一覧表示領域Ａ１４において、キーワード予約されたコンテンツには、キーワード予約による記録予約であることを表すキーワード予約マークＥ５が付加されて表示される。また予約一覧表示領域Ａ１４において、おすすめ予約されたコンテンツには、おすすめ予約による記録予約であることを表すおすすめ予約マークＥ６が付加されて表示される。
【０１０１】
予約情報表示領域Ａ１５は、表示画面において予約一覧表示領域Ａ１４の下方に配置される。予約一覧表示領域Ａ１４には、データメモリ６の記録再生予約データ記憶部６ａに記憶されている予約情報に含まれる、記録予約されているコンテンツに対応するインデックスが表示される。
【０１０２】
表示装置２１に図１１に示す予約確認メニューＭ９が表示されているとき、利用者は、リモコン２２のカーソルボタンを操作することによって、表示されているカーソルＣを上下に移動させることができる。図１１に示す予約確認メニューＭ９が表示されているとき、利用者は、リモコン２２を操作して、所望のコンテンツのタイトルを選択すると、予約情報表示領域Ａ１５には、選択されたコンテンツに対応するインデックスが表示される。また図１１に示す予約確認メニューＭ９が表示されているとき、利用者は、リモコン２２を操作して、所望のコンテンツのタイトルを選択して決定する。これによって表示装置２１には、図８に示すような手動予約登録メニューＭ６が表示される。
【０１０３】
利用者が、リモコン２２に設けられる機能ボタンを押圧すると、表示装置２１に機能メニューが表示される（図示せず）。この機能メニューには、「予約内容の変更」ボタン、「番組内容を表示」ボタン、「ＷＥＢ検索」ボタン、「予約取消」ボタンおよび「キーワード予約」ボタンが、上から順に並んで表示される。利用者は、リモコン２２のカーソルボタンを操作することによって、表示されているカーソルを上下に移動させることができる。
【０１０４】
利用者が機能メニューの「予約内容の変更」ボタンを選択して決定すると、表示装置２１に図８に示す手動予約登録メニューＭ６が表示される。表示装置２１に、たとえば図４に示す番組ナビＭ３が表示されていて、あるコンテンツが選択されているときに、利用者が機能ボタンを押圧して「番組内容を表示」ボタンを選択して決定すると、表示装置２１に、前記コンテンツに対応するインデックスが、たとえばダイアログの態様で表示される。表示装置２１に、たとえば図１１に示す予約確認メニューＭ９が表示されていて、あるコンテンツが選択されているときに、利用者が機能ボタンを押圧して「ＷＥＢ検索」ボタンを選択して決定すると、前記コンテンツのタイトルなどを検索条件として、インターネットの検索サイトにおいて、前記コンテンツに関連する情報が検索され、その検索結果が表示装置２１に表示される。
【０１０５】
表示装置２１に、たとえば図１１に示す予約確認メニューＭ９が表示されていて、あるコンテンツが選択されているときに、利用者が機能ボタンを押圧して、「予約取消」ボタンを選択して決定すると、表示装置２１に「予約を消去しますか？」というダイアログが表示される。利用者が前記ダイアログ中の「はい」ボタンを選択して決定すると、前記コンテンツの記録予約が削除される。
【０１０６】
利用者が機能メニューの「キーワード予約」ボタンを選択して決定すると、表示装置２１に図９に示すキーワード一覧表Ｍ７が表示される。
【０１０７】
図１２は、記録予約が重複したときに表示装置２１に表示される予約重複確認メニューＭ１０を示す図である。コンテンツの記録予約が登録されると、中央制御部１１は、記録予約制御プログラム５ｄを実行して、データメモリ６の記録再生予約データ記憶部６ａに記憶されている予約情報に基づいて、登録されたコンテンツの提供時間枠が他の登録されているコンテンツの提供時間枠に重複しているか否かを判断する。中央制御部１１が、登録されたコンテンツの提供時間枠と他の登録されているコンテンツの提供時間枠とが重複していると判断すると、中央制御部１１は、予約重複確認メニューＭ１０を表示するように画像入出力部２を制御する。これによって表示装置２１に、図１２に示すような予約重複確認メニューＭ１０が表示される。
【０１０８】
予約重複確認メニューＭ１０は、ステータス表示領域Ａ１、操作説明表示領域Ａ５および重複コンテンツ表示領域Ａ１６を有する。ステータス表示領域Ａ１および操作説明表示領域Ａ５は、前述の図３に示すチャンネル別番組表Ｍ２と同様であるので、同一の参照符号を付して詳細な説明は省略する。重複コンテンツ表示領域Ａ１６は、表示画面において中央部に配置される。重複コンテンツ表示領域Ａ１６には、記録予約されているけれども、提供時間枠が重複している複数のコンテンツの提供時間枠およびタイトルなどを含む予約情報が、一覧表形式で表示される。また重複コンテンツ表示領域Ａ１６には、「する」ボタンＢ６および「しない」ボタンＢ７が、前記予約情報の下方に表示される。
【０１０９】
表示装置２１に図１２に示す予約重複確認メニューＭ１０が表示されているとき、利用者は、リモコン２２のカーソルボタンを操作することによって、表示されているカーソルＣを左右に移動させることができる。利用者は、リモコン２２を操作して、予約重複確認メニューＭ１０に表示されている「する」ボタンＢ６を選択して決定すると、提供時間枠が重複している複数のコンテンツの記録予約を登録することができる。このとき提供時間枠が重複している複数のコンテンツのうち、所定の方法で設定される優先度の高いコンテンツに対して、記録予約が実行される。また利用者は、リモコン２２を操作して、予約重複確認メニューＭ１０に表示されている「しない」ボタンＢ７を選択して決定すると、提供時間枠が重複している複数のコンテンツの記録予約の登録を解除することができる。
【０１１０】
図１３は、記録部４に記録予約されるコンテンツを記録可能な記憶容量が無いときに表示装置２１に表示される容量不足確認メニューＭ１１を示す図である。コンテンツの記録予約が登録されると、中央制御部１１は、記録予約制御プログラム５ｄを実行して、データメモリ６の記録再生予約データ記憶部６ａに記憶されている予約情報と、記録部４とに基づいて、記録予約が登録されるコンテンツを記録部４に記録可能であるか否かを判断する。中央制御部１１が、記録部４には前記コンテンツを記録不可能であると判断すると、中央制御部１１は、容量不足確認メニューＭ１１を表示するように画像入出力部２を制御する。これによって表示装置２１に、図１３に示すような容量不足確認メニューＭ１１が表示される。
【０１１１】
容量不足確認メニューＭ１１は、ステータス表示領域Ａ１、操作説明表示領域Ａ５および記録時間表示領域Ａ１７を有する。ステータス表示領域Ａ１および操作説明表示領域Ａ５は、前述の図３に示すチャンネル別番組表Ｍ２と同様であるので、同一の参照符号を付して詳細な説明は省略する。記録時間表示領域Ａ１７は、表示画面において中央部に配置される。記録時間表示領域Ａ１７には、記録予約されコンテンツを記録するのに必要な時間と、記録部４が記録可能な記録時間とが表示される。また記録時間表示領域Ａ１７には、「する」ボタンＢ８および「しない」ボタンＢ９が、前記予約情報の下方に表示される。
【０１１２】
表示装置２１に図１３に示す容量不足確認メニューＭ１１が表示されているとき、利用者は、リモコン２２のカーソルボタンを操作することによって、表示されているカーソルＣを左右に移動させることができる。利用者は、リモコン２２を操作して、容量不足確認メニューＭ１１に表示されている「する」ボタンＢ８を選択して決定すると、コンテンツの記録予約を登録することができる。また利用者は、リモコン２２を操作して、容量不足確認メニューＭ１１に表示されている「しない」ボタンＢ９を選択して決定すると、前記コンテンツの記録予約の登録を解除することができる。
【０１１３】
本実施の形態において、画像記録再生装置１が、記録装置であり、表示制御装置でもある。また放送局２０が提供元であり、電子番組案内（略称：ＥＰＧ）が提供予定情報である。また画像入出力部２が、コンテンツ取得手段であるとともに、予定情報取得手段でもあり、通信部９もまた予定情報取得手段である。また記録部４が、記録手段であって、中央制御部１１が、データ生成手段であるとともに、記録制御手段でもあり、さらに嗜好情報取得手段でもある。
【０１１４】
図１４は、画像記録再生装置１によって、おすすめコンテンツを区別して一覧を表示させるための表示データを生成するとともに、おすすめコンテンツの記録を予約するデータ生成予約手順を示すフローチャートである。画像記録再生装置１は、前述のように表示制御装置でもあり、表示制御方法を実行して、おすすめコンテンツを残余のコンテンツとともに一覧にした表示データを生成し、この表示データを表示装置２１に与えて表示させることができる。また画像記録再生装置１は、記録装置でもあり、記録方法を実行して、おすすめコンテンツを記録部４に記録するように予約し、記録部４によって記録することができる。
【０１１５】
本実施の形態では、コンテンツはテレビ番組であり、以下「コンテンツ」を「番組」という場合がある。表示データは、チャンネルおよび時刻のうち少なくともいずれか一方を軸として番組を並べ、おすすめ番組と残余の番組とを区別した一覧を表す。この一覧は、番組表であって、具体的に述べると、図３に示されるように、時刻を軸として、１つのチャンネルに関して番組を、放送時刻に従って並べたチャンネル別番組表Ｍ２である。このチャンネル別番組表Ｍ２では、基本的にはＥＰＧに基づく番組表であって、おすすめ番組の抽出結果に基づいて修正される番組表であり、おすすめ番組におすすめマークＥ１を付すことによって、おすすめ番組と残余の番組とを区別している。
【０１１６】
画像記録再生装置１では、このようなチャンネル別番組表Ｍ２を中央制御部１１で生成し、ＥＰＧデータ記憶部６ｂにＥＰＧとともに記憶しておく。そしてアプリメニューＭ１が表示されている状態で、利用者が番組表Ｈ２を選択して決定したとき、中央制御部１１がＥＰＧ表示プログラム５ｉを実行し、チャンネル別番組表Ｍ２を読出して画像入出力部２に与え、画像入出力部２から表示装置２１に与え、表示装置２１にチャンネル別番組表Ｍ２を表示させる。また第１および第２ＰＣ２４，２６は、表示手段を備えており、表示装置としても機能するので、読出したチャンネル別番組表Ｍ２を、通信部９に与え、通信部９から第１および第２ＰＣ２４，２６に与え、第１および第２ＰＣ２４，２６にチャンネル別番組表Ｍ２を表示させることもできる。
【０１１７】
画像記録再生装置におけるデータ生成予約手順は、中央制御部１１による統括制御によって実現され、予め設定される時刻になったとき、ステップｐ０で開始され、ステップｐ１に進む。予め定める時刻は、周期的に、たとえば１日に２回、さらに詳細には、午前９時および午後６時に設定され、中央制御部１１によって計時部８から得られる現在時刻が監視されており、設定される時刻になったとき、データ生成予約手順が開始される。
【０１１８】
ステップｐ１の予定取得工程では、ＥＰＧを取得し、ステップｐ２に進む。ＥＰＧは、中央制御部１１がプログラムメモリ５に記憶されているＥＰＧ取得プログラム５ｃを実行することによって、中央制御部１１の制御下で、画像入出力部２および通信部９のいずれかによって取得される。たとえばこの例では、中央制御部１１が通信部９を制御し、通信部９によって、インターネット２５を介して接続されるＥＰＧサーバ２７に蓄積されているＥＰＧを取得する。
【０１１９】
表１は、ＥＰＧの一例を示す表である。ＥＰＧは、各番組に関する情報として、番組識別記号（番組ＩＤ）、放送開始日、放送開始時刻、放送終了日、放送終了時刻、チャンネル、ジャンル、番組タイトル、出演者および番組内容を有している。
【０１２０】
【表１】
2004157617.tif 000003
【０１２１】
ステップｐ２の嗜好情報取得工程では、中央制御部１１によって、利用者の嗜好を表す嗜好情報である嗜好データを取得し、ステップｐ３に進む。この嗜好データは、中央制御部１１が嗜好データ抽出プログラム５ｈを実行することによって、視聴状態ログデータに基づいて取得される。具体的には、まず嗜好データ記憶部６ｄに記憶されている視聴状態ログデータおよび嗜好関連番組ＩＤリストを読出して、嗜好関連番組ＩＤリストを修正し、嗜好データ記憶部６ｄに記憶する。さらにこの嗜好関連番組ＩＤリストを読出して、嗜好情報リストを生成し、嗜好データ記憶部６ｄに記憶する。
【０１２２】
表２は、視聴状態ログデータの一例を示す表である。視聴状態ログデータは、利用者による番組の視聴状態を表し、予め定める一定時間、たとえば１分毎に設定される監視時刻における視聴状態を表すログを有する。具体的には、ログは、各監視時刻毎の情報として、イベント日時、番組種別および番組ＩＤを有する。イベント日時は、監視時刻である。番組種別は、視聴の種別であって、放送される番組をそのまま視聴する放送番組および記録された番組を視聴する録画番組のいずれかである。以下、番組を記録することを録画という場合がある。
【０１２３】
【表２】
2004157617.tif 000004
【０１２４】
視聴状態ログデータ（以下単に「ログデータ」という場合がある）は、中央制御部１１が嗜好データ抽出プログラムを５ｈを実行することによって、中央制御部１１で生成され、嗜好データ記憶部６ｄに記憶されている。このログデータの生成は、画像記録再生装置１の電源が入の状態にある間実行され、計時部８から得られる時刻に基づいて、予め定める一定時間毎、たとえば１分毎の監視時刻に、画像入出力部３から得られる放送局２０の選択状態からチャンネルを判別して番組を特定し、その情報として、前記イベント日時、番組種別および番組ＩＤを取得して記録する。表２には、理解を容易にするために、一部だけを示す。録画データは、録画時に、番組ＩＤだけでなく、表１から取得できる番組データをそっくりコピーしたものを保持している。そして、登録種別が、録画番組の場合に限り、番組情報は、録画データから取得するようにしている。これによって既にＥＰＧを削除してしまった古い録画番組を視聴した場合においても、視聴番組と同様に番組情報を取得することができる。
【０１２５】
表３は、嗜好関連番組ＩＤリストの一例を示す表である。嗜好関連番組ＩＤリストは、嗜好を含む番組のリストであって、有効視聴番組を表すデータである。またこの嗜好関連番組ＩＤリストは、過去１ヵ月間の番組のリストであり、データ生成記録手順が実行される度に、ログデータに基づいて番組の追加修正が行われ、１カ月以上経過している番組は削除されるように修正される。この嗜好番組ＩＤリストは、有効視聴された嗜好関連番組のデータとして、番組ＩＤ、登録日時および登録種別を有する。登録日時は、嗜好関連番組として登録された日時である。全ての登録種別（視聴番組、録画番組、予約番組）において、嗜好関連番組ＩＤリストに番組ＩＤを登録した日時が登録日時となる。つまり、視聴番組、録画番組においては、ログデータを読み込んで、嗜好関連番組ＩＤリストに登録した日時となり、予約番組は、予約登録を行った日時となる。登録種別は、画像記録再生装置１の利用形態を表すデータであって、放送された時刻に視聴したことを表す放送視聴、記録を予約したことを表す予約登録および録画した番組を視聴したことを表す録画視聴である。
【０１２６】
【表３】
2004157617.tif 000005
【０１２７】
表４は、嗜好情報リストの一例を示す表である。嗜好データである嗜好情報リストは、嗜好を表す情報のリストであって、嗜好を表すキーワードのリストであり、その情報として、嗜好種別、データおよび件数を有する。嗜好種別は、そのキーワードの種別であって、番組タイトル、出演者およびジャンルである。データがキーワードであり、件数は、そのキーワードを対応する嗜好種別に含む番組数である。このように嗜好情報リストは、過去の利用者が視聴した番組に含まれるキーワードのリストである。
【０１２８】
【表４】
2004157617.tif 000006
【０１２９】
表３に示すような嗜好関連番組ＩＤリストから、表４に示す嗜好情報リストを生成するにあたっては、たとえば嗜好関連番組ＩＤリストから順次、１つずつ番組を読出し、その番組の番組タイトル、出演者およびジャンルを取得し、嗜好関連番組ＩＤリストにある各番組の情報として含まれる、同一番組タイトル、同一出演者および同一ジャンルを集計することによって、嗜好情報リストを生成する。
【０１３０】
ステップｐ３では、中央制御部１１によって、ステップｐ２で読出した視聴状態ログデータを削除し、ステップｐ４に進む。ステップｐ４では、嗜好情報リストを読出し、この中に含まれる嗜好情報と一致する番組を、現在保持しているＥＰＧの番組から検索し、番組単位で嗜好情報との一致度を表すポイントを計算し、ステップｐ５に進む。ステップｐ５では、ステップｐ４で算出したポイントをもとに、おすすめ番組を決定し、おすすめ度を表現するマークであるおすすめマークをおすすめ番組に付与し、おすすめ番組に付与されたマークを付して表示する表示データを生成する。この表示データは、チャンネル別番組表Ｍ２を表示するデータである。このように表示データを生成して、ステップｐ６に進む。これらステップｐ４，ｐ５が抽出工程であり、ステップｐ５はデータ生成工程でもある。ステップｐ４，ｐ５の工程は、中央制御部１１がおすすめ予約制御プログラム５ｆを実行することによって行われる。
【０１３１】
ステップｐ６の記録工程では、ステップｐ５で決定したおすすめ番組のうち、特定のおすすめマークが付与された番組を記録するように予約し、ステップｐ８に進んでデータ生成予約手順を終了する。ステップｐ６の記録工程は、中央制御部１１が、おすすめ予約制御プログラム５ｆを実行することによって行われる。
【０１３２】
図１５は、ログデータに基づいて嗜好関連番組ＩＤリストを修正する第１のリスト修正手順を示すフローチャートである。この第１のリスト修正手順は、図１４のデータ生成予約手順におけるステップｐ２で、中央制御部１１によって実行される手順であって、データ生成予約手順において、ステップｐ２に進むことによって、ステップｑ０で開始され、ステップｑ１に進む。ステップｑ１では、ログデータを番組ＩＤの順でソート、換言すれば並換えし、ステップｑ２に進む。ステップｑ２では、ソートしたログデータのうちの未処理のログを読出して、ステップｑ３に進む。ステップｑ３では、ステップｑ２で読出した番組ＩＤと同じ番組ＩＤを持つログを読出し、ログデータ内に存在する同じ番組ＩＤのログの数をカウントし、ステップｑ４に進む。
【０１３３】
ステップｑ４では、カウントしたログの数と、ログの記録間隔（監視間隔）の積からおおよその視聴時間を算出する。この視聴時間を求めた後、ステップｑ５に進み、視聴時間が放送時間の有効視聴番組（以下「有効番組」という場合がある）とする予め設定される割合以上に達するかを判断する。放送時間は、放送開始時刻から放送終了時刻までの時間であり、有効番組とする判断基準としての割合は、たとえば５０％に設定される。したがってたとえば、ログの記録間隔が１分で、放送時間が５０分である番組の同じ番組ＩＤが４０回記録されていた場合、約４０分間視聴録画されていたことがわかり、放送時間の約８０％が視聴録画されていたとされ、有効番組の判断基準が５０％であったとした場合は、この値以上であるので有効番組と判断される。
【０１３４】
このようにステップｑ５で、有効番組か否かが判断され、５０％以上視聴され有効番組であると判断されると、すなわち有効な視聴と判断されると、ステップｑ６に進み、有効番組でないと判断されると、ステップｑ７に進む。
【０１３５】
ステップｑ６では、有効な視聴と判断された番組に関する情報として、番組ＩＤ、登録日時および登録種別を、嗜好関連情報番組リストに追加し、ステップｑ７に進む。このステップｑ６において、嗜好関連番組ＩＤリストに追加するとき、ログデータにおける番組種別が放送番組の場合、登録種別は、「放送視聴」とし、録画済の番組を視聴した場合、すなわちログデータにおける番組種別が録画番組の場合は、登録種別を「録画視聴」とする。
【０１３６】
ステップｑ７では、全てのログに関して処理が終了したか、すなわち全てのログを読出したか判断され、全てのログを処理したと判断すると、ステップｑ８に進み、一部のログに関する処理が未処理であると判断すると、ステップｑ２に進む。ステップｑ２に進んだ場合には、ステップｑ２以降の工程を繰返し、ステップｑ８に進むと、第１のリスト修正手順を終了する。
【０１３７】
図１６は、予約登録に基づいて嗜好関連番組ＩＤリストを修正する第２のリスト修正手順を示すフローチャートである。利用者は、チャンネル別番組表Ｍ２を表示した状態で、リモコン２２を操作して、番組を選択して決定し、決定した番組の記録、すなわち録画を予約することができる。第２のリスト修正は、中央制御部１１によって実行される手順であって、このような手動で番組の録画を予約することに基づく修正である。アプリメニューＭ１が表示されている状態で、利用者が番組表Ｈ２を選択して決定したとき、第２のリスト修正手順が、ステップｒ０から開始され、ステップｒ１に進む。ステップｒ１では、ＥＰＧを表示、具体的には、チャンネル別番組表Ｍ２を表示し、ステップｒ２に進む。
【０１３８】
ステップｒ２では、チャンネル別番組表Ｍ２に重畳して表示されているカーソルＣの移動の指示がなされかた否か判断される。カーソルＣの移動は、番組の選択に相当する。チャンネル別番組表Ｍ２が表示される状態で、利用者はリモコン２２を操作してカーソルＣを移動させることによって、番組を選択することができる。カーソルＣの移動は、番組の選択に相当し、カーソルＣが一致している番組が選択されている。
【０１３９】
カーソル移動の指示がされたと判断すると、ステップｒ３に進み、カーソル移動の指示がされていないと判断すると、ステップｒ４に進む。ステップｒ３では、その指示に従ってカーソルＣを移動させるように処理する。ステップｒ４では、録画予約が指示されたか否か判断される。このステップｒ４では、リモコン２２の操作によって、選択されている番組が決定されて、録画の予約が指示されたか判断される。このステップｒ４で、録画予約が指示されたと判断すると、ステップｒ５に進み、録画予約が指示されていないと判断すると、ステップｒ７に進む。
【０１４０】
ステップｒ５では、カーソルＣによってフォーカスされている、すなわち選択されている番組の録画を予約する処理（「予約登録」という場合がある）を行い、ステップｒ６に進む。ステップｒ６では、録画予約が行われた番組を、嗜好を含む番組と判断し、登録種別を録画予約として、嗜好関連番組ＩＤリストに追加記録し、ステップｒ７に進む。ステップｒ７では、利用者によるリモコン２２の操作によって、終了指示がなされているか否かを判断する。ステップｒ７で、終了指示されていないと判断すると、ステップｒ２に進み、終了指示されたと判断すると、ステップｒ８に進んで、第２のリスト修正手順を終了する。
【０１４１】
図１７は、番組のポイントを算出するポイント算出手順を示すフローチャートである。このポイント算出手順は、図１４のデータ生成予約手順におけるステップｐ４で、中央制御部１１によって実行される手順であって、データ生成予約手順において、ステップｐ４に進むことによって、ステップｓ０で開始され、ステップｓ１に進む。ステップｓ１で、保持している（表示可能な）ＥＰＧに含まれる番組のうち、未処理番組に関する情報を読出し、ステップｓ２に進む。
【０１４２】
ステップｓ２では、計時部８から現在の日付を取得し、前のステップｓ１で読出した番組が、当日以降、すなわち現在日以降の番組であるか否かを判断する。このステップｓ２で、現在日以降の番組であると判断すると、ステップｓ３に進み、現在日よりも前の番組であると判断すると、ステップｓ６に進む。
【０１４３】
ステップｓ３では、嗜好データ記憶部６ｄから嗜好情報リストを読出して、ステップｓ１で読出した番組の情報と、嗜好情報リストとを比較し、番組の情報と嗜好情報リストとの一致度に応じて、一致度を表すポイントを付与する。たとえば、ステップｓ１で読出した番組の情報に、嗜好情報リストにある情報と一致する情報があれば、情報毎に設定されるポイントを付与する。具体的には、ステップｓ１で読出した番組の出演者を示すキーワード（文字列）、ジャンルを示すキーワードおよび番組タイトルを示すキーワードと、一致する文字列が嗜好情報リストにある場合に、予め設定されるポイントを、その番組に付与する。このとき、ポイントは、１つのキーワードが一致する毎に付与され、複数のキーワードが一致する場合には加算される。付与するポイントは、すべてのキーワードに関して同一のポイントを付与してもよいし、嗜好種別毎に異なるポイントに設定されてもよいし、キーワード毎に設定されてもよい。たとえば表４の嗜好情報リストに、件数として示される、キーワードが含まれる番組数に応じて、重み付けをして、番組数が多いほど、ポイントを高くするようにしてもよい。
【０１４４】
表５は、具体的なポイントの計算の一例を示す表である。
【０１４５】
【表５】
2004157617.tif 000007
【０１４６】
表６は、番組に付与するポイントの一例を示す表である。
【０１４７】
【表６】
2004157617.tif 000008
【０１４８】
ポイントの付与について、具体例として、たとえばキーワードとして、出演者１、出演者２、ジャンルおよびタイトルが一致するか否かでポイントを付与する場合を例に挙げて、説明する。この例では、出演者が一致する場合、ポイント１０を付与し、ジャンルが一致する場合、ポイント１５を付与し、タイトルが一致する場合、ポイント２０を付与する。
【０１４９】
表５において、最上段の番組のように、出演者２名とジャンルが嗜好情報リストと一致した場合、表６の加算ポイントを適用し、出演者一致によるポイントが２件分で２０およびジャンル一致によるポイントが１５で、合計ポイントは３５になる。同様にして、タイトルだけが一致する２段目の番組は、合計ポイント２０になり、出演者１名、ジャンルおよびタイトルが一致する３段目の番組は、合計ポイント４５なり、出演者１名だけが一致する最下段の番組は、合計ポイント１０になる。
【０１５０】
このようにしてポイントを付与した後、ステップｓ４に進む。ステップｓ４では、ステップｓ３で算出された合計ポイントが、予め設定される基準ポイントに達しているかを判断する。このステップｓ４で、合計ポイントが基準ポイント未満と判断すると、ステップｓ６に進み、合計ポイントが基準ポイント以上と判断すると、おすすめ番組であると判断し、ステップｓ５に進む。表５の例では、基準ポイントがたとえば１５に設定されており、上段３件の番組は、合計ポイントが３０，２５，４０で、基準ポイント以上であるので、おすすめ番組とし、最下段の番組は、合計ポイントが１０で、基準ポイント未満となるので、おすすめ番組とはしない。
【０１５１】
なお、基準ポイントは任意な値に変更可能としてもよい。例えば基準ポイントを１０ポイントに変更した場合、出演者、ジャンル、タイトルのいずれか１つが一致した番組をすべておすすめ番組とする事ができ、また基準ポイントを２５ポイントに変更した場合、出演者、ジャンル、タイトルの少なくとも２つ以上が一致した番組のみをおすすめ番組とすることができる。
【０１５２】
ステップｓ５では、番組ＩＤ、おすすめの種別、合計ポイントを、嗜好データ記憶部６ｄに記憶し、ステップｓ６に進む。おすすめの種別は、一致する嗜好種別である。ステップｓ６では、現在保持している番組の最後まで読み込んだか否か判断する。換言すれば、ステップｓ６では、全ての番組に関して処理が終了したか、すなわち全ての番組を読出したか判断され、全ての番組を処理したと判断すると、ステップｓ７に進み、一部の番組に関する処理が未処理であると判断すると、ステップｓ１に進む。ステップｓ１に進んだ場合には、ステップｓ１以降の工程を繰返し、ステップｓ７に進むと、ポイント算出手順を終了する。
【０１５３】
図１８は、番組におすすめマークを付与するマーク付与手順を示すフローチャートである。図１８の例では、おすすめ度に応じた３段階のマークを付与する例について説明する。このマーク付与手順は、図１４のデータ生成予約手順におけるステップｐ５で、中央制御部１１によって実行される手順であって、データ生成予約手順において、ステップｐ５に進むことによって、ステップｔ０で開始され、ステップｔ１に進む。ステップｔ１で、保持している（表示可能な）ＥＰＧに含まれる番組のうち、未処理番組に関する情報を読出し、ステップｔ２に進む。
【０１５４】
ステップｔ１では、図１７のポイント算出手順におけるステップｓ５にて記憶した全ての番組ＩＤと合計ポイントを読出し、ステップｔ２に進む。ステップｔ２では、合計ポイントの降順に番組ＩＤをソート、すなわち番組を並換え、ステップｔ３に進む。
【０１５５】
ステップｔ３では、合計ポイントの上位の番組から予め設定される数の番組に対し、最上位のおすすめ度合いを表す第１のおすすめマーク（以下「マーク１」という場合がある）を付与し、ステップｔ４に進む。ステップｔ４では、ステップｔ３でマークが付与された番組を除く残余の番組、すなわち未だおすすめマークが付与されていない番組の中で、ポイントが上位の番組から予め設定される数の番組に対し、２番目のおすすめ度合いを表す第２のおすすめマーク（以下「マーク２」という場合がある）を付与し、ステップｔ５に進む。ステップｔ５では、ステップｔ３およびｔ４でマークが付与された番組を除く残余の番組、すなわち未だおすすめマークを付与されていない番組に対し、３番目のおすすめ度合いを表す第３のおすすめマーク（以下「マーク３」という場合がある）を付与し、ステップｔ６に進む。
【０１５６】
このようにステップｔ３およびステップｔ４で、合計ポイントの高い番組から予め定める数ずつ層に振分け、基準ポイント以上の残余の番組を最下位層に振分ける。このようにして基準ポイント以上の番組を、おすすめ度に応じて階層化する。
【０１５７】
表７は、マーク付与件数の一例を示す表であり、基準ポイントを併せて示す。表７の例では、マーク１およびマーク２を付与する番組数をそれぞれ１０件および２０件と設定している。表５には、４つの番組しか表示されていないが、これ以外に多数の番組が存在するとして、マーク３の基準ポイントは固定の１５とし、上位から１０番目の番組の合計ポイントが４０、上位から３０番目の番組の合計ポイントが３０であるとした場合、表５に示される番組では、上から順に、マーク２、マーク３およびマーク１が付与される。最下段の番組は、基準ポイント未満であり、マークは付与されない。
【０１５８】
【表７】
2004157617.tif 000009
【０１５９】
ステップｔ６では、以上の処理により求められ、第１〜第３のおすすめマークが付与された番組群のリストを、おすすめ番組リストとして生成し、嗜好データ記憶部６ｄに記憶する。おすすめ番組リストを記憶した後、ステップｔ７に進んで、マーク付与手順を終了する。
【０１６０】
表８は、おすすめ番組リストの一例を示す表である。おすすめ番組リストは、番組毎の情報として、番組ＩＤ、付与したマークの種別およびおすすめ種別を有する。ここでマークの種別は、この例ではおすすめ度によって区別される。おすすめ種別は、一致した嗜好種別である。複数のおすすめ種別で一致した場合は、ポイントが高い種別を優先させる。さらにポイントが同じであれば、予め定められた規則に従い、種別を決定する。前記規則は、たとえばタイトル一致、出演者一致、ジャンル一致の順であってもよいし、その他の順であってもよい。
【０１６１】
【表８】
2004157617.tif 000010
【０１６２】
このようにして、おすすめ番組におすすめマークを付与した後、さらに中央制御部１１は、表示データを生成する。この表示データがチャンネル別番組表Ｍ２を表示するデータである。このチャンネル別番組表Ｍ２は、チャンネル別の番組表を放送開始順のリスト形式で表すものである。この表示データを生成するとき、表示する全ての番組の番組ＩＤと、おすすめ度合いを表すマーク種別とともに嗜好データ記憶部６ｄに記憶された番組ＩＤ、すなわちおすすめ番組リストの番組ＩＤとの照合を行い、一致した番組に、マークの種別とマーク画像データの対応表に従って、所定のマークを番組の情報と同じ行に、付して表示する。
【０１６３】
表９は、マーク種別とマーク画像データの対応表の一例を示す。たとえば前述のようにおすすめ度を３段階にして示す場合、おすすめ度（おすすめ度合い）が最も高い「高」である第１のおすすめマーク（マーク１）として、二重丸「◎」を付し、次の「中」である第２のおすすめマーク（マーク２）として、黒丸「●」を付し、最も低い「低」である第３のおすすめマーク（マーク３）として、白丸「○」を付す。このようにしておすすめ度に応じて異なる形態のおすすめマークを付して、おすすめ度を表示するようにしてもよい。
【０１６４】
【表９】
2004157617.tif 000011
【０１６５】
表１０は、マーク種別とマーク画像データの対応表の他の例を示す。たとえば前述のようにおすすめ度を３段階にして示す場合において、マークの形態ではなく、個数によって、おすすめ度を表すようにしてもよい。たとえばおすすめ度が最も高い「高」である第１のおすすめマーク（マーク１）として、星形「☆」３つ付し、次の「中」である第２のおすすめマーク（マーク２）として、星形「☆」を２つ付し、最も低い「低」である第３のおすすめマーク（マーク３）として、星形「☆」を１つ付す。このようにしておすすめ度に応じて個数の異なるおすすめマークを付して、おすすめ度を表示するようにしてもよい。
【０１６６】
【表１０】
2004157617.tif 000012
【０１６７】
図３に示すチャンネル別番組表Ｍ１は、マークの個数によっておすすめ度を表す例を示しており、星形ではなく、手の模ったマークをおすすめ度に応じた個数で示すおすすめマークＥ１を用いている例である。おすすめ度は、形態および個数のいずれか一方だけを異ならせて表すようにしてもよいが、両方が異なるマークを付すようにしてもよい。
【０１６８】
また前述の例では、おすすめ度を３段階に階層化したけれども、２段階または４段階以上にしてもよい。２段階にする場合、図１８の手順において、ステップｔ４が省略され、ステップｔ３で上位のおすすめを表すマークを付与し、ステップｔ５で下位のおすすめを表すマークを付与する。４段階以上にする場合には、図１８の手順において、ステップｔ４と同様の工程が、段数に応じてステップｔ４とステップｔ５との間に追加され、ステップｔ５で最下位のおすすめ度のマークが付与される。
【０１６９】
図１４におけるステップｐ６では、前述の用に複数段に階層化された番組のうち、最上位のおすすめ度を表す第１のおすすめマークが付与された番組を抽出し、おすすめ予約制御プログラム５ｆを起動して、録画予約を登録するようにしてもよい。このように上位のおすすめ番組だけを録画することによって、利用者が視聴する可能性が低い番組まで、不必要に録画することによって、記録部４を無駄に使用することを防ぐことができる。
【０１７０】
このような本実施の形態によれば、ＥＰＧを取得するとともに、嗜好情報リストを取得し、おすすめ番組を抽出して、チャンネル別番組表Ｍ２を表示させることができる。このときおすすめ番組だけの一覧でなく、全ての番組の一覧を、おすすめ番組と残余の番組とを、おすすめマークを付与することによって区別して表示することができる。これによって現時刻に放送されている番組およびその日に放送予定の番組など、残余の番組に関する放送予定を踏まえたうえで、おすすめ番組の放送予定を容易に把握することができる。したがって視聴および録画する番組を選択するにあたって、その利便性を高くすることができる。たとえばおすすめ番組だけを表示する場合のように、放送予定を把握していれば視聴または録画したであろうコンテンツを視聴または記録せずに過ごしてしまう過誤を防ぐことができる。
【０１７１】
また番組におすすめマークを付すことによって、全番組を表示しながら、おすすめ番組の区別が可能になる。さらにおすすめマークが、おすすめ度に応じて、階層化され、そのおすすめ度に応じて個数および形態のうち少なくともいずれか一方が異なるので、そのおすすめマークから、おすすめ番組のおすすめ度を容易に把握することができる。
【０１７２】
またおすすめ番組を階層化するにあたって、全ての番組に対して、おすすめ度を表す評価値であるポイントを求め、基準ポイント以上のポイントを有する番組を抽出し、これをポイントに基づいて階層化し、各階層毎に個数および形態のうち少なくともいずれか一方が異なるおすすめマークを付して、表示する。このようにしておすすめ度に応じてマークを付すことができる。またポイントが基準ポイント以上の番組だけを階層化するので、利用者の嗜好に合わない番組が、おすすめ番組として表示されてしまうことが防がれる。
【０１７３】
またおすすめ番組の階層化にあたって、少なくともおすすめ度が最も高い階層、前述の例では３階層のうち上位２階層には、所定数の番組が分類される。このようにしておすすめ度を相対評価して階層化することができるので、おすすめ度が高い、上位のおすすめ番組として表示される番組の数が一定となる。ポイントに基づいて絶対評価した場合には、１つの階層に分類される番組が多くなり過ぎたり、逆に少なくなり過ぎたりして、おすすめ番組の把握が困難になるけれども、前述のように相対評価をすることによって、１つの階層に分類される番組の数を好適な数として、おすすめ番組の把握を容易にすることができる。
【０１７４】
また図１８に示すマーク付与手順において、ステップｔ２とステップｔ３の間に、基準ポイント以上の番組が、最下位層を除く上位層に分類すべき番組数、前述の例では、第１のおすすめマークを付すべき番組数１０と、第２のおすすめマークを付すべき番組数２０の合計３０以上であるか否かを判断するステップを設け、基準ポイント以上の番組が最下位層を除く上位層に分類すべき番組数以上である場合には、ステップｔ３に進み、そうでない場合には、ステップｔ５に進むようにしてもよい。これによって、基準ポイント以上の番組が少ない場合に、おすすめ度が高い番組を無くすことができる。基準ポイント以上の番組が少ない場合、嗜好情報が不足しているおそれがあり、信頼性の高いおすすめ判定ができないので、この場合には、おすすめ度が高い番組を無くすことで、信頼性の高いおすすめ表示をすることができる。
【０１７５】
また本実施の形態では、おすすめ番組を、いわば自動的に、取得して記録することができる。これによっておすすめ番組を記録するための手間を省くことができ、高い利便性を有する。
【０１７６】
前述の実施の形態では、おすすめ度、すなわち嗜好情報との一致度で、異なる形態のおすすめマークを付したけれども、おすすめ種別である嗜好情報と番組との一致する嗜好種別によって、異なる形態のおすすめマークを付与するようにしてもよい。具体的には、表８に示すおすすめ番組リストのマークに関して、おすすめ度ではなく、おすすめ種別で、異なる形態のマークを付与するようにしたおすすめ番組リストを生成し、嗜好データ記憶部６ｄに記憶するようにしてもよい。この場合には、図１７のポイント算出手順の後、予め定めるポイント以上の番組に対して、おすすめ種別によって異なる形態のマークを付す場合のマーク種別とマーク画像データの対応表に基づいて、おすすめ種別によって異なる形態のマークを付与する。
【０１７７】
表１１は、マーク種別とマーク画像データの対応表のさらに他の例を示す。たとえばおすすめ種別によって異なる形態のマークを付与する場合、たとえばおすすめ種別がタイトル一致であることを示すおすすめマーク（マーク１）として、黒菱形「◆」を付し、おすすめ種別がジャンル一致であることを示すおすすめマーク（マーク２）として、黒星形「★」をし、おすすめ種別が出演者一致であることを示すおすすめマーク（マーク３）として、白四角「□」を付す。このようにしておすすめ種別に応じて異なる形態のおすすめマークを付して、おすすめ度を表示するようにしてもよい。
【０１７８】
【表１１】
2004157617.tif 000013
【０１７９】
このようにおすすめ種別によって異なるおすすめマークを付す場合、おすすめマークの形態によって、おすすめ種別を容易に把握することができる。また全ての番組に対して、おすすめ度を表すポイントを求め、基準ポイント以上の番組におすすめ種別に応じたおすすめマークを付して表示するので、利用者の嗜好に合わない番組がおすすめ番組として表示されてしまうことが防がれる。
【０１８０】
また前述の例では、おすすめマークは、その個数および形態から、おすすめ度およびおすすめ種別のいずれか一方だけが判別できる構成であったけれども、他の例として、両方が判別できるようにしてもよい。たとえばマークの形態によっておすすめ種別を表し、個数によっておすすめ度を表すようにすれば、両方を表すことができる。このようにすれば、より一層、利便性が向上される。
【０１８１】
また前述の実施の形態では、おすすめコンテンツ表示制御方法および記録方法が、装置にプレインストールされた状態で実現されたけれども、これらの方法をコンピュータに実行させるためのプログラムに記録された状態で実現されてもよい。このような場合、コンピュータを用いて、同様の方法を実行することが可能である。
【０１８２】
上述の実施の形態の画像記録再生装置１において、コンテンツは動画像および音声が含まれる動画像であり、テレビ番組であるとしたけれども、これに限ることはない。コンテンツは、経時的に変化するような情報、たとえば音声としてもよい。またコンテンツは経時的に変化しない、たとえば静止画像、ウェブコンテンツなどのＨＴＭＬなどのマークアップ言語で記述されたデータおよびプログラムであってもよい。
【０１８３】
また本実施の形態の画像記録再生装置１において、提供元は放送局２０としたけれども、これに限ることはない。提供元は、たとえばインターネット２５を介して接続されるコンテンツサーバであってもよい。
【０１８４】
また表示データは、時間を軸とする番組表を表示するためのデータであったけれども、チャンネルを軸とする番組表のデータであってもよいし、時間およびチャンネルを軸とする２次元表示の番組表のデータであってもよい。
【０１８５】
【発明の効果】
本発明によれば、提供予定に含まれる全てのコンテンツの一覧が、おすすめコンテンツと残余のコンテンツとで区別されて表示される。したがって視聴および記録するコンテンツを選択するにあたって、その利便性を高くすることができ、たとえばおすすめコンテンツの一覧だけを表示する場合のように、提供されることを把握していれば視聴または記録したコンテンツを視聴または記録せずに過ごしてしまう過誤を防ぐことができる。
【０１８６】
また本発明によれば、マークを付すことによって、おすすめコンテンツと残余のコンテンツとが区別され、マークの個数および形態のうち少なくともいずれか一方によって、おすすめコンテンツのおすすめ度を容易に把握することができる。
【０１８７】
また本発明によれば、マークを付すことによって、おすすめコンテンツと残余のコンテンツとが区別され、マークの形態によって、おすすめコンテンツのおすすめ種別を容易に把握することができる。
【０１８８】
また本発明によれば、おすすめのコンテンツが評価値に基づいて階層化されてマークが付され、おすすめ度に応じたマークが付される。また評価値が基準値以上のコンテンツだけが階層化されので、利用者の嗜好に合わないコンテンツが、おすすめコンテンツとして表示されてしまうことが防がれる。
【０１８９】
また本発明によれば、評価値が基準値以上のおすすめのコンテンツにだけ、おすすめ種別に応じてマークが付され、利用者の嗜好に合わないコンテンツが、おすすめコンテンツとして表示されてしまうことが防がれる。
【０１９０】
また本発明によれば、おすすめコンテンツの階層化にあたって、おすすめ度を相対評価して階層化されるので、１つの階層に分類されるコンテンツの数を好適な数として、おすすめコンテンツの把握を容易にすることができる。
【０１９１】
また本発明によれば、おすすめコンテンツが、いわば自動的に記録されるので、手間を省くことができ、高い利便性を有する。
【０１９２】
また本発明によれば、提供予定に含まれる全てのコンテンツの一覧が、おすすめコンテンツと残余のコンテンツとで区別されて表示される。したがって視聴および記録するコンテンツを選択するにあたって、その利便性を高くすることができ、たとえばおすすめコンテンツの一覧だけを表示する場合のように、提供されることを把握していれば視聴または記録したコンテンツを視聴または記録せずに過ごしてしまう過誤を防ぐことができる。
【０１９３】
また本発明によれば、おすすめコンテンツが、いわば自動的に記録されるので、手間を省くことができ、高い利便性を有する。
【０１９４】
また本発明によれば、コンピュータを用いて、おすすめコンテンツを、残余のコンテンツから区別して、提供予定を表示することを実現できる。
【０１９５】
また本発明によれば、コンピュータを用いて、おすすめコンテンツを、いわば自動的に記録することを実現できる。
【図面の簡単な説明】
【図１】本発明の実施の一形態の画像記録再生装置１の構成を示すブロック図である。
【図２】表示装置２１に表示されるアプリメニューＭ１を示す図である。
【図３】表示装置２１に表示されるチャンネル別番組表Ｍ２を示す図である。
【図４】表示装置２１に表示される番組ナビＭ３を示す図である。
【図５】表示装置２１に表示される記録一覧表Ｍ４を示す図である。
【図６】表示装置２１に表示される予約方法選択メニューＭ５を示す図である。
【図７】記録予約における概略的な手順および表示されるメニューを示す図である。
【図８】表示装置２１に表示される手動予約登録メニューＭ６を示す図である。
【図９】表示装置２１に表示されるキーワード一覧表Ｍ７を示す図である。
【図１０】表示装置２１に表示されるキーワード編集メニューＭ８を示す図である。
【図１１】表示装置２１に表示される予約確認メニューＭ９を示す図である。
【図１２】記録予約が重複したときに表示装置２１に表示される予約重複確認メニューＭ１０を示す図である。
【図１３】記録部４に記録予約されるコンテンツを記録可能な記憶容量が無いときに表示装置２１に表示される容量不足確認メニューＭ１１を示す図である。
【図１４】画像記録再生装置１によって、おすすめコンテンツを区別して一覧を表示させるための表示データを生成するとともに、おすすめコンテンツの記録を予約するデータ生成予約手順を示すフローチャートである。
【図１５】視聴状態ログデータに基づいて嗜好関連番組ＩＤリストを修正するだ１のリスト修正手順を示すフローチャートである。
【図１６】予約登録に基づいて嗜好関連番組ＩＤリストを修正する第２のリスト修正手順を示すフローチャートである。
【図１７】番組のポイントを算出する手順を示すフローチャートである。
【図１８】番組におすすめマークを付与するマーク付与手順を示すフローチャートである。
【符号の説明】
１  画像記録再生装置
２  画像入出力部
４  記録部
５  プログラムメモリ
６  データメモリ
７  指示入力部
９  通信部
１１  中央制御部
２０  放送局
２１  表示装置
２２  リモコン
【図１】
2004157617.tif 000014
【図２】
2004157617.tif 000015
【図３】
2004157617.tif 000016
【図４】
2004157617.tif 000017
【図５】
2004157617.tif 000018
【図６】
2004157617.tif 000019
【図７】
2004157617.tif 000020
【図８】
2004157617.tif 000021
【図９】
2004157617.tif 000022
【図１０】
2004157617.tif 000023
【図１１】
2004157617.tif 000024
【図１２】
2004157617.tif 000025
【図１３】
2004157617.tif 000026
【図１４】
2004157617.tif 000027
【図１５】
2004157617.tif 000028
【図１６】
2004157617.tif 000029
【図１７】
2004157617.tif 000030
【図１８】
2004157617.tif 000031